(57)【特許請求の範囲】
【請求項１】
筐体と、
前記筐体に配置される第１感光ドラムと、
前記筐体に配置され、前記第１感光ドラムと互いに間隔を隔てて並列配置される第２感光ドラムと、
前記第１感光ドラムに対応して設けられ、前記第１感光ドラムを露光するための第１露光部材と、前記第２感光ドラムに対応して設けられ、前記第２感光ドラムを露光するための第２露光部材と、を含む露光ユニットと、
前記第１感光ドラムに対応して設けられ、前記第１感光ドラムに現像剤を供給するための第１現像ローラを有する第１現像器と、
前記第２感光ドラムに対応して設けられ、前記第２感光ドラムに現像剤を供給するための第２現像ローラを有する第２現像器と、
前記第１現像器および前記第２現像器のそれぞれを着脱可能に支持し、前記筐体に対して、前記第１感光ドラムと前記第２感光ドラムとの並列方向に沿って引き出し可能に装着されるように構成される現像器支持部材と、
前記第１感光ドラムと前記第２感光ドラムとを一体的に支持し、前記筐体に対して、前記並列方向に沿って引き出し可能に装着されるように構成されるドラム支持部材と、
前記筐体に設けられ、前記第１感光ドラムおよび前記第２感光ドラムのそれぞれと接触する無端ベルトと、を備え、
前記第２感光ドラムは、前記第１感光ドラムに対して前記現像器支持部材の引き出し方向下流側に配置されており、
前記第１現像器は、前記現像器支持部材に支持された状態において、前記現像器支持部材に対して、前記並列方向に投影したときに前記第１現像器の少なくとも一部が前記第２露光部材と重なるとともに、前記第１現像ローラが対応する前記第１感光ドラムと接触する第１現像位置と、前記並列方向に投影したときに前記第２露光部材の投影面から退避するとともに、前記第１現像ローラが対応する前記第１感光ドラムから離間する第１退避位置とに相対移動可能に構成され、
前記筐体は、前記並列方向に延び、前記ドラム支持部材の引き出しを案内するための案内部を備え、
前記案内部は、
前記並列方向に延びる第１案内部と、
前記並列方向に延び、前記並列方向および前記第１感光ドラムの回転軸線方向と直交する第１方向において、前記第１案内部と間隔を隔てて配置される第２案内部であって、前記第１案内部との間に前記ドラム支持部材を配置するように構成される第２案内部と、を有し、
前記第２案内部は、前記回転軸線方向における前記露光ユニットの端部を固定するように構成され、
前記ドラム支持部材は、前記筐体から引き出されるときに、前記第１感光ドラムおよび前記第２感光ドラムのそれぞれと前記無端ベルトとが接触する接触位置から、前記第１感光ドラムおよび前記第２感光ドラムのそれぞれと前記無端ベルトとが離間する離間位置に移動されることを特徴とする、画像形成装置。
【請求項２】
前記第１現像器は、
第１回動軸を有し、
前記第１回動軸を支点として、前記第１現像位置と前記第１退避位置とに回動可能に構成されることを特徴とする、請求項１に記載の画像形成装置。
【請求項３】
前記第１現像ローラは、前記並列方向に投影したときに、
前記第１現像器が前記第１退避位置に配置された状態において、前記現像器支持部材に重なるように配置され、
前記第１現像器が前記第１現像位置に配置された状態において、前記第１現像ローラの少なくとも一部が前記現像器支持部材から露出するように配置されることを特徴とする、請求項１または２に記載の画像形成装置。
【請求項４】
前記第２現像器は、前記現像器支持部材に支持された状態において、前記現像器支持部材に対して、
前記並列方向に投影したときに前記第２現像器の少なくとも一部が前記第２露光部材と重なるとともに、前記第２現像ローラが対応する前記第２感光ドラムと接触する第２現像位置と、
前記並列方向に投影したときに前記第２露光部材の投影面から退避するとともに、前記第２現像ローラが対応する前記第２感光ドラムから離間する第２退避位置とに相対移動可能に構成されることを特徴とする、請求項１〜３のいずれか一項に記載の画像形成装置。
【請求項５】
前記第２現像器は、
第２回動軸を有し、
前記第２回動軸を支点として、前記第２現像位置と前記第２退避位置とに回動可能に構成されることを特徴とする、請求項４に記載の画像形成装置。
【請求項６】
前記第２現像ローラは、前記並列方向に投影したときに、
前記第２現像器が前記第２退避位置に配置された状態において、前記現像器支持部材に重なるように配置され、
前記第２現像器が前記第２現像位置に配置された状態において、前記第２現像ローラの少なくとも一部が前記現像器支持部材から露出するように配置されていることを特徴とする、請求項４または５に記載の画像形成装置。
【請求項７】
前記筐体には、
前記現像器支持部材を引き出すための開口部が形成されるとともに、前記開口部を開放する開放位置と、前記開口部を閉鎖する閉鎖位置とに移動可能に構成される開閉部材が設けられ、
前記開閉部材の前記閉鎖位置から前記開放位置への移動に伴なって、前記第１現像器が前記第１現像位置から前記第１退避位置に移動されるとともに、前記第２現像器が前記第２現像位置から前記第２退避位置に移動され、
前記開閉部材の前記開放位置から前記閉鎖位置への移動に伴なって、前記第１現像器が前記第１退避位置から前記第１現像位置に移動されるとともに、前記第２現像器が前記第２退避位置から前記第２現像位置に移動されることを特徴とする、請求項４〜６のいずれか一項に記載の画像形成装置。
【請求項８】
前記現像器支持部材は、
前記第１現像器を前記第１現像位置に配置させるとともに、前記第２現像器を前記第２現像位置に配置させる第１位置と、前記第１現像器を前記第１退避位置に配置させるとともに、前記第２現像器を前記第２退避位置に配置させる第２位置とに移動可能に構成される移動部材を備え、
前記開閉部材は、
前記開放位置から前記閉鎖位置へ移動されるときに、前記移動部材と連結され、前記移動部材を前記第２位置から前記第１位置へ移動させる連結部材を備えていることを特徴とする、請求項７に記載の画像形成装置。
【請求項９】
前記案内部は、
前記ドラム支持部材が前記筐体から引き出されるときに、前記ドラム支持部材を前記接触位置から前記離間位置に変位させる変位部を備え、
前記ドラム支持部材は、
前記ドラム支持部材が前記筐体から引き出されるときに、前記接触位置から前記離間位置に向かって押圧されるように、前記変位部に当接される当接部を備えることを特徴とする、請求項１〜８のいずれか一項に記載の画像形成装置。
【請求項１０】
前記第１露光部材は、
対応する前記第１感光ドラムに対して、前記無端ベルトの反対側に配置され、
対応する前記第１感光ドラムと間隔を隔てて対向配置される第１露光位置と、
前記第１露光位置から前記無端ベルトとは反対側に向かって退避される第１引出許容位置とに移動可能に構成され、
前記第２露光部材は、
対応する前記第２感光ドラムに対して、前記無端ベルトの反対側に配置され、
対応する前記第２感光ドラムと間隔を隔てて対向配置される第２露光位置と、
前記第２露光位置から前記無端ベルトとは反対側に向かって退避される第２引出許容位置とに移動可能に構成され、
前記第１露光部材および前記第２露光部材のそれぞれは、
前記ドラム支持部材の前記接触位置から前記離間位置への移動に伴なって、前記第１露光部材が前記第１露光位置から前記第１引出許容位置に移動されるとともに、前記第２露光部材が前記第２露光位置から前記第２引出許容位置に移動されることを特徴とする、請求項１〜９のいずれか一項に記載の画像形成装置。
【請求項１１】
前記筐体は、前記並列方向に延び、前記現像器支持部材の引き出しを案内するための現像案内部を備え、
前記現像案内部は、前記第１方向において、前記第２案内部と間隔を隔てて配置され、前記第２案内部との間に、前記現像器支持部材を配置するように構成されていることを特徴とする、請求項１〜１０のいずれか一項に記載の画像形成装置。
【請求項１２】
前記第２案内部は、固定溝を有し、
前記露光ユニットは、前記固定溝に挿通される挿通部を有することを特徴とする、請求項１〜１１のいずれか一項に記載の画像形成装置。
【発明の詳細な説明】
【技術分野】
【０００１】
本発明は、電子写真方式が採用される画像形成装置に関する。
【背景技術】
【０００２】
電子写真方式の画像形成装置として、開口を有する本体ケーシングと、感光ドラムおよび現像ローラを備え、開口を介して本体ケーシングに着脱可能に装着されるドラムユニットと、感光ドラムを露光するためのＬＥＤユニットとを備える画像形成装置が知られている。
【０００３】
このような画像形成装置としては、例えば、本体ケーシングが、開口を開閉するためのトップカバーを備え、ドラムユニットが、複数色に対応して複数設けられ、本体ケーシング内において、所定方向に並列配置され、ＬＥＤユニットが、複数の感光ドラムに対応して複数設けられ、トップカバーの内面に保持されるプリンタが提案されている（例えば、特許文献１参照。）。
【０００４】
このプリンタでは、トップカバーが開口を閉鎖する閉鎖位置に配置された状態において、ＬＥＤユニットが感光ドラムに近接される露光位置に配置され、トップカバーが開口を開放する開放位置に配置された状態において、ＬＥＤユニットが感光ドラムから離間される退避位置に配置される。
【０００５】
そして、そのようなプリンタでは、トップカバーを開放位置に配置して、ＬＥＤユニットを感光ドラムから離間させた後、ドラムユニットを本体ケーシングに対して着脱する。
【先行技術文献】
【特許文献】
【０００６】
【特許文献１】特開２００９−２５１２３１号公報
【発明の概要】
【発明が解決しようとする課題】
【０００７】
しかし、特許文献１に記載のプリンタでは、互いに隣り合うドラムユニットの間において、ＬＥＤユニットが、露光位置と退避位置とに進退可能に設けられているので、互いに隣り合うドラムユニットの間に、ＬＥＤユニットを進退させるためのスペースを確保する必要がある。そのため、ＬＥＤユニットを進退させるためのスペースを確保する分、画像形成装置の小型化を図るには限度がある。
【０００８】
また、特許文献１に記載のプリンタでは、トップカバーを開放位置に配置して、ＬＥＤユニットを感光ドラムから離間させると、ＬＥＤユニットが本体ケーシング外に配置されるので、ドラムユニットを本体ケーシングに対して着脱するときに、ドラムユニットとＬＥＤユニットとが干渉して、ＬＥＤユニットが損傷してしまう場合がある。
【０００９】
そこで、本発明の目的は、第１露光部材および第２露光部材のそれぞれの効率的な配置を確保することができながら、小型化を図ることができ、さらには、第１露光部材および第２露光部材の損傷を抑制できる画像形成装置を提供することにある。
【課題を解決するための手段】
【００１０】
（１）上記目的を達成するために、本発明の画像形成装置は、筐体と、筐体に配置される第１感光ドラムと、筐体に配置され、第１感光ドラムと互いに間隔を隔てて並列配置される第２感光ドラムと、第１感光ドラムに対応して設けられ、第１感光ドラムを露光するための第１露光部材と、第２感光ドラムに対応して設けられ、第２感光ドラムを露光するための第２露光部材と、第１感光ドラムに対応して設けられ、第１感光ドラムに現像剤を供給するための第１現像ローラを有する第１現像器と、第２感光ドラムに対応して設けられ、第２感光ドラムに現像剤を供給するための第２現像ローラを有する第２現像器と、第１現像器および第２現像器のそれぞれを着脱可能に支持し、筐体に対して、第１感光ドラムと第２感光ドラムとの並列方向に沿って引き出し可能に装着されるように構成される現像器支持部材と、を備えている。
【００１１】
第２感光ドラムは、第１感光ドラムに対して現像器支持部材の引き出し方向下流側に配置されている。
【００１２】
第１現像器は、現像器支持部材に支持された状態において、現像器支持部材に対して、並列方向に投影したときに第１現像器の少なくとも一部が第２露光部材と重なるとともに、第１現像ローラが対応する第１感光ドラムと接触する第１現像位置と、並列方向に投影したときに第２露光部材の投影面から退避するとともに、第１現像ローラが対応する第１感光ドラムから離間する第１退避位置とに相対移動可能に構成されている。
【００１３】
このような構成によれば、第１現像器が、第１現像位置と第１退避位置とに移動可能に構成されているので、第１露光部材および第２露光部材を筐体内に配置しても、第１現像器を第１退避位置に配置することにより、現像器支持部材を筐体から引き出すことができる。つまり、第１現像器および第２現像器を支持する現像器支持部材を筐体から引き出すことができながら、第１露光部材および第２露光部材を進退させるためのスペースを確保する必要がない。
【００１４】
そのため、第１露光部材および第２露光部材の効率的な配置を確保することができながら、画像形成装置の小型化を図ることができる。
【００１５】
また、第１露光部材および第２露光部材のそれぞれは、第１感光ドラムおよび第２感光ドラムのそれぞれに対応して設けられているので、現像器支持部材が筐体から引き出された状態においても、筐体内に配置されている。
【００１６】
つまり、現像器支持部材が筐体外に引き出されるのに対して、第１露光部材および第２露光部材は筐体内に配置されている。そのため、第１現像器および第２現像器と、第１露光部材および第２露光部材とが干渉することが抑制され、第１露光部材および第２露光部材が損傷することを抑制できるとともに、第１現像器および第２現像器の現像器支持部材に対する着脱作業の円滑化を図ることができる。
【００１７】
従って、第１露光部材および第２露光部材のそれぞれの効率的な配置を確保することができながら、画像形成装置の小型化を図ることができ、さらには、第１露光部材および第２露光部材の損傷を抑制できるとともに、第１現像器および第２現像器の現像器支持部材に対する着脱作業の円滑化を図ることができる。
（２）また、第１現像器は、第１回動軸を有し、第１回動軸を支点として、第１現像位置と第１退避位置とに回動可能に構成されていてもよい。
【００１８】
このような構成によれば、簡易な構成でありながら、第１現像器を第１現像位置と第１退避位置とに円滑に回動させることができる。
【００１９】
そのため、画像形成時において、第１現像器を確実に第１現像位置に配置することができながら、現像器支持部材を筐体から引き出すときに、第１現像器を第１現像位置から第１退避位置に円滑に移動させることができる。
（３）また、第１現像ローラは、並列方向に投影したときに、第１現像器が第１退避位置に配置された状態において、現像器支持部材に重なるように配置され、第１現像器が第１現像位置に配置された状態において、第１現像ローラの少なくとも一部が現像器支持部材から露出するように配置されていてもよい。
【００２０】
このような構成によれば、第１現像ローラは、第１現像器が第１退避位置に配置された状態では、並列方向に投影したときに、現像器支持部材に重なるように配置されているので、現像器支持部材が引き出されたときに、ユーザが不用意に第１現像ローラと接触することを抑制できる。
【００２１】
一方、第１現像ローラは、第１現像器が第１現像位置に配置された状態では、並列方向に投影したときに、第１現像ローラの少なくとも一部が現像器支持部材から露出するように配置されているので、第１現像ローラと第１感光ドラムとの確実な接触を確保することができる。
（４）また、第２現像器は、現像器支持部材に支持された状態において、現像器支持部材に対して、並列方向に投影したときに第２現像器の少なくとも一部が第２露光部材と重なるとともに、第２現像ローラが対応する第２感光ドラムと接触する第２現像位置と、並列方向に投影したときに第２露光部材の投影面から退避するとともに、第２現像ローラが対応する第２感光ドラムから離間する第２退避位置とに相対移動可能に構成されていてもよい。
【００２２】
このような構成によれば、第２現像器が、第２現像位置と第２退避位置とに移動可能に構成されているので、現像器支持部材を筐体から引き出すときに、第２現像器を第２退避位置に配置することができる。
【００２３】
そのため、第２現像器が、現像器支持部材を筐体から引き出すときに、外部の部材と干渉することを抑制でき、現像器支持部材の筐体からの円滑な引き出し動作を確保できる。
（５）また、第２現像器は、第２回動軸を有し、第２回動軸を支点として、第２現像位置と第２退避位置とに回動可能に構成されていてもよい。
【００２４】
このような構成によれば、簡易な構成でありながら、第２現像器を第２現像位置と第２退避位置とに円滑に回動させることができる。
【００２５】
そのため、画像形成時において、第２現像器を確実に第２現像位置に配置することができながら、現像器支持部材を筐体から引き出すときに、第２現像器を第２現像位置から第２退避位置に円滑に移動させることができる。
（６）また、第２現像ローラは、並列方向に投影したときに、第２現像器が第２退避位置に配置された状態において、現像器支持部材に重なるように配置され、第２現像器が第２現像位置に配置された状態において、第２現像ローラの少なくとも一部が現像器支持部材から露出するように配置されていてもよい。
【００２６】
このような構成によれば、第２現像ローラは、第２現像器が第２退避位置に配置された状態では、並列方向に投影したときに、現像器支持部材に重なるように配置されているので、現像器支持部材が引き出されたときに、ユーザが不用意に第２現像ローラと接触することを抑制できる。
【００２７】
一方、第２現像ローラは、第２現像器が第２現像位置に配置された状態では、並列方向に投影したときに、第２現像ローラの少なくとも一部が現像器支持部材から露出するように配置されているので、第２現像ローラと第２感光ドラムとの確実な接触を確保することができる。
（７）また、筐体には、現像器支持部材を引き出すための開口部が形成されるとともに、開口部を開放する開放位置と、開口部を閉鎖する閉鎖位置とに移動可能に構成される開閉部材が設けられていてもよい。
【００２８】
この場合、開閉部材の閉鎖位置から開放位置への移動に伴なって、第１現像器が第１現像位置から第１退避位置に移動されるとともに、第２現像器が第２現像位置から第２退避位置に移動され、開閉部材の開放位置から閉鎖位置への移動に伴なって、第１現像器が第１退避位置から第１現像位置に移動されるとともに、第２現像器が第２退避位置から第２現像位置に移動される。
【００２９】
このような構成によれば、開口部を介して、現像器支持部材を筐体から円滑に引き出すことができる。
【００３０】
また、開閉部材の閉鎖位置と開放位置とへの移動に伴なって、第１現像器が第１現像位置と第１退避位置とに移動するとともに、第２現像器が第２現像位置と第２退避位置とに移動する、すなわち、第１現像器および第２現像器と開閉部材とが連動するので、ユーザが、開閉部材、第１現像器および第２現像器のそれぞれを独立して移動させる場合と比較して、現像器支持部材の筐体に対する引き出し作業の効率化を図ることができる。
【００３１】
また、開閉部材、第１現像器および第２現像器のそれぞれが独立して移動する場合、ユーザが、第１現像器を第１退避位置に配置させる前に、現像器支持部材を引き出してしまい、第２露光部材と第１現像器とが干渉してしまう場合がある。
【００３２】
これに対して、開閉部材と、第１現像器および第２現像器とが連動する場合、現像器支持部材を筐体から引き出すために、開閉部材を開放位置に配置すれば、第１現像器が第１退避位置に配置されるので、露光部材と第１現像器とが干渉することを抑制できる。また、第２現像器が第２退避位置に配置されるので、現像器支持部材の筐体からの円滑な引き出し動作を確実に確保できる。
【００３３】
従って、現像器支持部材の筐体に対する引き出し作業の効率化を図ることができながら、第２露光部材と第１現像器とが干渉することを抑制できる。
（８）また、現像器支持部材は、第１現像器を第１現像位置に配置させるとともに、第２現像器を第２現像位置に配置させる第１位置と、第１現像器を第１退避位置に配置させるとともに、第２現像器を第２退避位置に配置させる第２位置とに移動可能に構成される移動部材を備えていてもよい。
【００３４】
この場合、開閉部材は、開放位置から閉鎖位置へ移動されるときに、移動部材と連結され、移動部材を第２位置から第１位置へ移動させる連結部材を備えている。
【００３５】
このような構成によれば、開閉部材を開放位置から閉鎖位置に移動させると、開閉部材の連結部材が移動部材と連結され、移動部材を第２位置から第１位置へ移動させることができる。これにより、第１現像器が、確実に第１現像位置と第１退避位置とに移動されるとともに、第２現像器が、確実に第２現像位置と第２退避位置とに移動される。
【００３６】
そのため、第１現像器および第２現像器と、開閉部材とを確実に連動させることができる。
（９）また、第１感光ドラムと第２感光ドラムとを一体的に支持し、筐体に対して、並列方向に沿って引き出し可能に装着されるように構成されるドラム支持部材を備えていてもよい。
【００３７】
このような構成によれば、現像器支持部材とドラム支持部材とをそれぞれ独立して、筐体から引き出すことができるので、寿命の異なる現像器（第１現像器および第２現像器）と感光ドラム（第１感光ドラムおよび第２感光ドラム）とをそれぞれ独立して交換することができる。
【００３８】
そのため、画像形成装置のメンテナンス性の向上、および、ランニングコスト低減を図ることができる。
【００３９】
また、ドラム支持部材が第１感光ドラムと第２感光ドラムとを一体的に支持しているので、第１感光ドラムと第２感光ドラムとを同時に交換することができる。その結果、第１感光ドラムおよび第２感光ドラムの交換作業の効率化を図ることができる。
（１０）また、筐体に設けられ、第１感光ドラムおよび第２感光ドラムのそれぞれと接触する無端ベルトを備えていてもよい。
【００４０】
この場合、ドラム支持部材は、筐体から引き出されるときに、第１感光ドラムおよび第２感光ドラムのそれぞれと無端ベルトとが接触する接触位置から、第１感光ドラムおよび第２感光ドラムのそれぞれと無端ベルトとが離間する離間位置に移動される。
【００４１】
このような構成によれば、ドラム支持部材は、筐体から引き出されるときに、接触位置から離間位置に移動されるので、ドラム支持部材が筐体から引き出されるときに、第１感光ドラムおよび第２感光ドラムと無端ベルトとが離間される。そのため、ドラム支持部材を筐体から引き出すときに、第１感光ドラムおよび第２感光ドラムが無端ベルトと摺擦することを抑制でき、第１感光ドラムおよび第２感光ドラムのそれぞれが損傷することを抑制できる。
（１１）また、筐体は、ドラム支持部材の筐体に対する引き出しを案内するための案内部を備えていてもよい。
【００４２】
この場合、案内部は、ドラム支持部材が筐体から引き出されるときに、ドラム支持部材を接触位置から離間位置に変位させる変位部を備えている。
【００４３】
また、ドラム支持部材は、ドラム支持部材が筐体から引き出されるときに、接触位置から離間位置に向かって押圧されるように、変位部に当接される当接部を備えている。
【００４４】
このような構成によれば、筐体が案内部を備えているので、筐体に対するドラム支持部材の円滑な引き出し動作を確保することができる。
【００４５】
また、ドラム支持部材が筐体から引き出されるときに、ドラム支持部材が接触位置から離間位置に向かって押圧されるように、ドラム支持部材の当接部が、案内部の変位部に当接されるので、ドラム支持部材を確実に接触位置から離間位置に移動させることができる。
（１２）また、第１露光部材は、対応する第１感光ドラムに対して、無端ベルトの反対側に配置され、対応する第１感光ドラムと間隔を隔てて対向配置される第１露光位置と、第１露光位置から無端ベルトとは反対側に向かって退避される第１引出許容位置とに移動可能に構成されていてもよい。
【００４６】
この場合、第２露光部材は、対応する第２感光ドラムに対して、無端ベルトの反対側に配置され、対応する第２感光ドラムと間隔を隔てて対向配置される第２露光位置と、第２露光位置から無端ベルトとは反対側に向かって退避される第２引出許容位置とに移動可能に構成される。
【００４７】
そして、第１露光部材および第２露光部材のそれぞれは、ドラム支持部材の接触位置から離間位置への移動に伴なって、第１露光部材が第１露光位置から第１引出許容位置に移動されるとともに、第２露光部材が第２露光位置から第２引出許容位置に移動される。
【００４８】
このような構成によれば、ドラム支持部材が、筐体から引き出されるときに、接触位置から離間位置へ移動されると、第１露光部材が第１露光位置から第１引出許容位置に移動されるとともに、第２露光部材が第２露光位置から第２引出許容位置に移動されるので、第１露光部材および第２露光部材がドラム支持部材の引き出しの邪魔になることを抑制できる。
【００４９】
そのため、ドラム支持部材の筐体に対する円滑な引き出し動作を確保することができる。
【発明の効果】
【００５０】
本発明の画像形成装置では、第１露光部材および第２露光部材のそれぞれの効率的な配置を確保することができながら、画像形成装置の小型化を図ることができ、さらには、第１露光部材および第２露光部材の損傷を抑制できる。
【図面の簡単な説明】
【００５１】
【図１】本発明の画像形成装置の第１実施形態としてのカラープリンタ（現像カートリッジが現像位置に配置された状態）を示す側断面図である。
【図２】図１に示す本体ケーシングの１対の側壁を左上側から見た斜視図である。
【図３】図１に示す現像ユニットを左上側から見た斜視図である。
【図４】図１に示すドラムユニットを左上側から見た斜視図である。
【図５】図１に示すカラープリンタ（現像カートリッジが退避位置に配置された状態）を示す側断面図である。
【図６】図３に示す現像ユニットの左側面図であって、（ａ）は、カム部材およびピニオンギヤが省略された状態を示し、（ｂ）は、カム部材およびピニオンギヤが装着された状態を示す。
【図７】図１に示すドラムユニットおよび現像ユニット（現像カートリッジが現像位置に配置された状態）の左側面図である。
【図８】図１に示す現像ユニットの本体ケーシングに対する装着および引き出しを説明するための側断面図である。
【図９】図１に示すドラムユニットの本体ケーシングに対する装着および引き出しを説明するための側断面図である。
【図１０】図１に示すドラムユニットの本体ケーシングに対する装着および引き出しを説明するための説明図であって、（ａ）は、ドラムドロワがドラム装着位置に配置された状態を示し、（ｂ）は、（ａ）に続いて、ドラムドロワがドラム装着位置から前方に向かって引き出される状態を示し、（ｃ）は、（ｂ）に示すＬＥＤユニット（ＬＥＤ支持部が省略された状態）の左側面図を示す。
【図１１】本発明の画像形成装置の第２実施形態としてのカラープリンタ（現像カートリッジが現像位置に配置された状態）を示す側断面図である。
【図１２】図１１に示すカラープリンタにおいて、現像カートリッジが退避位置に配置された状態を示す側断面図である。
【発明を実施するための形態】
【００５２】
１．カラープリンタの全体構成
図１に示すように、画像形成装置の一例としてのカラープリンタ１は、横置きタイプの中間転写型カラープリンタである。
【００５３】
また、カラープリンタ１は、筐体の一例としての本体ケーシング２を備え、本体ケーシング２内において、用紙Ｐを給紙するための給紙部４と、給紙された用紙Ｐに画像を形成するための画像形成部５とを備えている。
（１）本体ケーシング
本体ケーシング２は、給紙部４および画像形成部５を収容する略ボックス形状に形成されている。本体ケーシング２の一方側壁には、開口部６が形成されており、開閉部材の一例としてのフロントカバー７が、その下端部を支点として、開口部６を閉鎖する閉鎖位置と、開口部６を開放する開放位置（二点鎖線参照）とに揺動（移動）可能に設けられている。
【００５４】
なお、以下の説明において、フロントカバー７が設けられる側（図１における紙面右側）を前側とし、その反対側（図１における紙面左側）を後側とする。また、カラープリンタ１を前側から見たときを左右の基準とする。すなわち、図１において、紙面手前側が左側であり、紙面奥側が右側である。
【００５５】
また、以下のフロントカバー７の説明において、フロントカバー７が閉鎖位置に位置する状態を基準としている。
【００５６】
フロントカバー７は、上下方向に延びる略平板形状に形成され、その後面における下側部分に連結部材８が設けられている。
【００５７】
連結部材８は、現像ユニット１８（後述、図３参照）の左右両側に設けられるピニオンギヤ１０１（後述、図３参照）に対応するように２つ設けられ（図３参照）、左右方向に互いに間隔を隔てて対向配置されている。また、連結部材８は、フロントカバー７の後面から後下方に向かって延び、後上側に向かって膨出する側面視略円弧形状に形成されている。連結部材８の上面には、その後端部から略１／３の部分まで、連結側ギヤ歯１３が形成されている（図７参照）。
（２）給紙部
給紙部４は、用紙Ｐを収容する給紙トレイ９を備えている。給紙トレイ９は、本体ケーシング２内の底部に着脱自在に装着されている。
【００５８】
給紙トレイ９に収容されている用紙Ｐは、ピックアップローラ１０の回転により、給紙ローラ１１に向かって送られ、給紙ローラ１１の回転により１枚ずつ捌かれる。その後、捌かれた用紙Ｐは、給紙ローラ１１の回転により、上方の両レジストローラ１２間に向けて給紙され、レジストローラ１２の回転により、所定のタイミングで、画像形成部５（中間転写ベルト３３（後述）と二次転写ローラ４１（後述）との間）に供給される。
（３）画像形成部
画像形成部５は、給紙部４の上側に配置されており、プロセスユニット１４と、転写ユニット１５と、定着ユニット１６とを備えている。
（３−１）プロセスユニット
プロセスユニット１４は、給紙トレイ９の上側に配置され、ドラムユニット１７と、現像ユニット１８と、ＬＥＤユニット１９とを備えている。
（３−１−１）ドラムユニット
ドラムユニット１７は、プロセスユニット１４の上端部に配置されており、感光ドラム２０と、帯電ローラ２１と、ドラムクリーニングローラ２２とを一体的に支持している。
【００５９】
感光ドラム２０は、複数色（ブラック、イエロー、マゼンタ、シアン）に対応して、複数（４つ）設けられ、前後方向に互いに間隔を隔てて並列配置されている。なお、複数（４つ）の感光ドラム２０のうち、任意で選択される互いに隣り合う感光ドラム２０のそれぞれが、第１感光ドラムおよび第２感光ドラムの一例として対応する。具体的には、複数（４つ）の感光ドラム２０のうち、最も後側に配置される感光ドラム２０が、第１感光ドラムに対応する場合、その感光ドラム２０の前側に配置される感光ドラム２０（４つの感光ドラム２０のうち、後側から数えて２つ目の感光ドラム２０）が第２感光ドラムに対応する。また、４つの感光ドラム２０のうち、後側から数えて２つ目の感光ドラム２０が、第１感光ドラムに対応する場合、その感光ドラム２０の前側に配置される感光ドラム２０（４つの感光ドラム２０のうち、後側から数えて３つ目の感光ドラム２０）が第２感光ドラムに対応する。
【００６０】
すなわち、第１感光ドラムは、任意で選択される第２感光ドラムに対して、現像ドロワ８０（後述）の本体ケーシング２に対する引き出し方向上流側に、隣り合って配置される感光ドラム２０に対応する。また、第２感光ドラムは、第１感光ドラムに対応する感光ドラム２０に対して、現像ドロワ８０（後述）の本体ケーシング２に対する引き出し方向下流側に、隣り合って配置される感光ドラム２０に対応する。
【００６１】
帯電ローラ２１は、複数（４つ）の感光ドラム２０のそれぞれに対応して設けられ、対応する感光ドラム２０の後下側において、感光ドラム２０と対向して接触するように配置されている。
【００６２】
ドラムクリーニングローラ２２は、複数（４つ）の感光ドラム２０のそれぞれに対応して設けられ、帯電ローラ２１の上側において、感光ドラム２０の後上側と対向して接触するように配置されている。
（３−１−２）現像ユニット
現像ユニット１８は、ドラムユニット１７の下側に配置されており、現像器の一例としての現像カートリッジ２３を備えている。
【００６３】
現像カートリッジ２３は、複数（４つ）の感光ドラム２０のそれぞれに対応して、複数（４つ）設けられている。複数（４つ）の現像カートリッジ２３のそれぞれは、対応する感光ドラム２０の前下側に配置されており、前後方向に互いに間隔を隔てて並列配置されている。
【００６４】
なお、複数（４つ）の現像カートリッジ２３のうち、上記した第１感光ドラムに対応する現像カートリッジ２３が、第１現像器の一例として対応し、上記した第２感光ドラムに対応する現像カートリッジ２３が、第２現像器の一例として対応する。
【００６５】
具体的には、複数（４つ）の感光ドラム２０のうち、最も後側に配置される感光ドラム２０が、第１感光ドラムに対応する場合、その感光ドラム２０に対応する現像カートリッジ２３（複数（４つ）の現像カートリッジ２３のうち、最も後側に配置される現像カートリッジ２３）が、第１現像器の一例として対応する。この場合、４つの感光ドラム２０のうち、後側から数えて２つ目の感光ドラム２０が第２感光ドラムに対応するので、その感光ドラム２０に対応する現像カートリッジ２３（４つの現像カートリッジ２３のうち、後側から数えて２つ目の現像カートリッジ２３）が、第２現像器の一例として対応する。
【００６６】
すなわち、第１現像器および第２現像器のそれぞれは、任意で選択される第１感光ドラムおよび第２感光ドラムのそれぞれに対応しているので、第１現像器および第２現像器と、本願実施形態における現像カートリッジ２３との対応関係は、選択される第１感光ドラムおよび第２感光ドラムにより、その都度異なる。
【００６７】
また、現像カートリッジ２３は、現像ローラ２４を備えている。
【００６８】
なお、複数（４つ）の現像カートリッジ２３のうち、第１現像器の一例として対応する現像カートリッジ２３が備える現像ローラ２４が第１現像ローラの一例として対応する。また、複数（４つ）の現像カートリッジ２３のうち、第２現像器の一例として対応する現像カートリッジ２３が備える現像ローラ２４が第２現像ローラの一例として対応する。
【００６９】
現像ローラ２４は、現像カートリッジ２３の上端において、上側（後上側）から露出されるように回転可能に支持されており、感光ドラム２０に対して前下側から接触されている。
【００７０】
なお、現像カートリッジ２３は、現像ローラ２４にトナーを供給する供給ローラ２５と、現像ローラ２４に供給されたトナーの厚みを規制する層厚規制ブレード２６とを備えている。また、現像カートリッジ２３は、供給ローラ２５の下側（供給ローラ２５に対して、現像ローラ２４の反対側）に、各色（ブラック、イエロー、マゼンタ、シアン）に対応する現像剤の一例としてのトナーを収容するトナー収容部２７を備えている。
（３−１−３）ＬＥＤユニット
ＬＥＤユニット１９は、複数（４つ）の感光ドラム２０のそれぞれに対応して、複数（４つ）設けられている。具体的には、ＬＥＤユニット１９は、対応する感光ドラム２０に下方から対向するように、現像カートリッジ２３の上側部分の後側に配置され、本体ケーシング２に支持されている。ＬＥＤユニット１９は、所定の画像データに基づいて、対応する感光ドラム２０の表面を露光する。
（３−２）転写ユニット
転写ユニット１５は、プロセスユニット１４の上側に配置され、ベルトユニット３０と二次転写ローラ４１とを備えている。
【００７１】
ベルトユニット３０は、複数（４つ）の感光ドラム２０のそれぞれに上側から対向するように、前後方向に沿って配置されている。
【００７２】
ベルトユニット３０は、駆動ローラ３１と、従動ローラ３２と、無端ベルトの一例としての中間転写ベルト３３と、複数（４つ）の一次転写ローラ３４と、ベルトクリーナー３５とを備えている。
【００７３】
駆動ローラ３１および従動ローラ３２は、前後方向に互いに間隔を隔てて対向配置されている。
【００７４】
中間転写ベルト３３は、その下側部分が複数（４つ）の感光ドラム２０のそれぞれに対向接触されるように、感光ドラム２０の上側に配置され、駆動ローラ３１および従動ローラ３２の周りに掛け渡されている。また、中間転写ベルト３３は、駆動ローラ３１の駆動および従動ローラ３２の従動により、感光ドラム２０と接触する下側部分が前側から後側に向かって移動するように、周回移動されている。
【００７５】
複数（４つ）の一次転写ローラ３４のそれぞれは、対応する感光ドラム２０と、中間転写ベルト３３の下側部分を挟んで対向するように設けられている。
【００７６】
ベルトクリーナー３５は、中間転写ベルト３３の前側部分の上方に配置され、廃トナーボックス３８と、ベルトクリーニングローラ３６と、中継ローラ３７と、掻き取りブレード３９とを備えている。
【００７７】
後述する転写・定着動作において、中間転写ベルト３３の表面に残存したトナー（廃トナー）は、ベルトクリーニングローラ３６によってクリーニングされ、一旦、中継ローラ３７に保持された後、掻き取りブレード３９で掻き取られることにより、廃トナーボックス３８内に収容される。
【００７８】
二次転写ローラ４１は、駆動ローラ３１と、中間転写ベルト３３を挟んで前後方向に対向するように、ベルトユニット３０の後方に設けられている。
（３−３）定着ユニット
定着ユニット１６は、二次転写ローラ４１の前上方に配置され、加熱ローラ４２と、加熱ローラ４２に対して後上側から圧接される加圧ローラ４３とを備えている。
（３−４）画像形成動作
（３−４−１）現像動作
トナー収容部２７内のトナーは、供給ローラ２５に供給され、さらに、現像ローラ２４に供給される。
【００７９】
現像ローラ２４に供給されたトナーは、現像ローラ２４の回転に伴って、層厚規制ブレード２６によって厚さが規制され、一定厚さの薄層として現像ローラ２４の表面に担持される。
【００８０】
一方、感光ドラム２０の表面は、感光ドラム２０の回転に伴って、帯電ローラ２１により一様に正帯電された後、ＬＥＤユニット１９により露光される。これにより、用紙Ｐに形成すべき画像に対応した静電潜像が感光ドラム２０の表面に形成される。
【００８１】
感光ドラム２０がさらに回転すると、現像ローラ２４の表面に担持されるトナーが、感光ドラム２０の表面に形成されている静電潜像に供給される。これにより、感光ドラム２０の静電潜像は可視像化され、感光ドラム２０の表面には、反転現像によるトナー像が担持される。
（３−４−２）転写・定着動作
感光ドラム２０の表面に担持されたトナー像は、前側から後側へ移動される中間転写ベルト３３の下側部分に順次、一次転写される。これにより、中間転写ベルト３３にカラー画像が形成される。
【００８２】
中間転写ベルト３３に形成されたカラー画像は、中間転写ベルト３３が二次転写ローラ４１との対向位置を通過する間に、給紙部４から供給される用紙Ｐに、二次転写される。
【００８３】
そして、用紙Ｐに転写されたカラー画像は、定着ユニット１６において、用紙Ｐが加熱ローラ４２と加圧ローラ４３との間を通過する間に、加熱および加圧されることによって用紙Ｐに熱定着される。
（４）排紙
定着ユニット１６においてトナー像が定着された用紙Ｐは、排紙ローラ４４によって、本体ケーシング２の上面に形成される排紙トレイ４５上に排紙される。
２．本体ケーシングの詳細
本体ケーシング２は、図２に示すように、左右方向に互いに間隔を隔てて対向配置される１対の側壁５１を備えている。
【００８４】
側壁５１は、前後方向に長手の略平板形状に形成され、その前側部分には、ギヤ露出溝５０と、位置決め溝５２とが形成されている。
【００８５】
ギヤ露出溝５０は、現像ユニット１８のピニオンギヤ１０１（後述、図３参照）に対応して形成され、側壁５１の前端縁における下側部分から後方に向かって窪む側面視略矩形状に切り欠かれて形成されている。
【００８６】
位置決め溝５２は、ドラムユニット１７の位置決め軸１２７（後述、図４参照）に対応して、ギヤ露出溝５０の上側に形成され、側壁５１の前端縁から後方に向かって窪む側面視略コ字状に形成されている。
【００８７】
また、左側の側壁５１には、ドラム露出穴６４と、挿通穴６５とが形成されている。
【００８８】
ドラム露出穴６４は、ドラムドロワ１１９（後述、図４参照）がドラム装着位置（後述）に配置された状態において、感光ドラム２０の左端面と対向する部分に形成され、側面視略円形状に貫通形成されている。
【００８９】
挿通穴６５は、ドラム露出穴６４の前下側において、側面視略円形状に貫通形成されている。
【００９０】
また、側壁５１の左右方向内側面には、現像案内部５３と、案内部の一例としてのドラム案内部５４とが設けられている。
【００９１】
現像案内部５３は、側壁５１の左右方向内側面の下端部において、側壁５１から左右方向内方に向かって突出する正面視略矩形状に形成され、前後方向に沿って延びる略杆状に形成されている。
【００９２】
また、現像案内部５３には、図５に示すように、突部５８が設けられている。
【００９３】
突部５８は、現像案内部５３の上面における後端部から上方に向かって突出する側面視略矩形状に形成されている。
【００９４】
ドラム案内部５４は、ドラムドロワ１１９（後述）の本体ケーシング２に対する装着および引き出しを案内するために設けられ、図２に示すように、現像案内部５３の上側において、下側案内部５６と、上側案内部５５とを備えている。
【００９５】
下側案内部５６は、現像案内部５３の上側において、側壁５１から左右方向内方に向かって突出する正面視略矩形状に形成され、前後方向に沿って延びる略杆状に形成されている。これにより、下側案内部５６は、現像案内部５３と、上下方向に互いに間隔を隔てて対向するように設けられており、その対向間隔は、現像側壁８１（後述、図３参照）の上下方向長さと略同じ長さに形成されている。
【００９６】
また、下側案内部５６には、図１０（ａ）に示すように、ボス通過溝６２と、固定溝６３とが形成されている。
【００９７】
ボス通過溝６２は、複数（４つ）の現像カートリッジ２３のガイドボス１１６（後述、図３参照）のそれぞれに対応するように、前後方向に互いに間隔を隔てて４つ形成されている。ボス通過溝６２は、現像カートリッジ２３が退避位置（後述）と現像位置（後述）とに移動するときのガイドボス１１６（後述）の移動軌跡に沿うように形成され、側面視略円弧形状に切り欠かれて形成されている。ボス通過溝６２の溝幅は、ガイドボス１１６（後述）の外径よりも長く形成されている。
【００９８】
固定溝６３は、複数（４つ）のボス通過溝６２のそれぞれの後側において、前後方向に互いに間隔を隔てて４つ形成されている。固定溝６３は、ＬＥＤ支持部６６（後述、図２参照）の左右方向端部に対応するように形成され、側面視略矩形状に切り欠かれて形成されている。
【００９９】
上側案内部５５は、図２に示すように、側壁５１の左右方向内側面の上端部において、側壁５１から左右方向内方に向かって突出する正面視略矩形状に形成され、前後方向に沿って延びる略杆状に形成されている。これにより、上側案内部５５は、下側案内部５６の上側において、下側案内部５６と、上下方向に互いに間隔を隔てて対向するように設けられており、その対向間隔は、ドラム側壁１２０（後述、図４参照）の上下方向長さと略同じ長さに形成されている。
【０１００】
また、上側案内部５５の下面は、許容部６１、変位部の一例としての第１被当接部５７、および、第２被当接部６０として形成されている。
【０１０１】
許容部６１は、図１０（ａ）に示すように、上側案内部５５の下面における後端部であって、前後方向に沿って延びるように形成されている。
【０１０２】
第１被当接部５７は、上側案内部５５の下面における前後方向中央部分であって、許容部６１の前端部から前方に向かうに従って下方に向かって傾斜するように延びた後、前方に向かって延びるように形成されている。
【０１０３】
第２被当接部６０は、上側案内部５５の下面における前端部であって、第１被当接部５７の前端部から前方に向かうに従って下方に向かって傾斜するように延びた後、前方に向かって延びるように形成されている。
【０１０４】
また、１対の側壁５１間には、図２に示すように、複数（４つ）のＬＥＤ支持部６６と、基準軸８４とが支持されている。
【０１０５】
複数（４つ）のＬＥＤ支持部６６は、左右方向に延びる側面視略矩形状に形成され、その前後方向長さが、図１０（ａ）に示すように、固定溝６３の前後方向長さよりも短く形成されている。
【０１０６】
そして、ＬＥＤ支持部６６は、図２に示すように、その左右両端部が、固定溝６３に対応する部分の側壁５１にそれぞれ固定されている（図５参照）。また、図１０（ａ）に示すように、ＬＥＤ支持部６６の左右方向端部における前後両面と、固定溝６３の前後両端縁との間には、隙間が形成されている。
【０１０７】
また、ＬＥＤ支持部６６には、図５に示すように、ＬＥＤ溝６９が形成されており、ＬＥＤ溝６９内には、ＬＥＤユニット１９が収容されている。
【０１０８】
ＬＥＤ溝６９は、ＬＥＤ支持部６６の上面における前側部分から下方に向かって窪む側面視略コ字状に形成されている。
【０１０９】
ＬＥＤユニット１９は、ＬＥＤフレーム６８と、進退部材７０とを備えている。
【０１１０】
ＬＥＤフレーム６８は、図２に示すように、左右方向に延びる略杆状に形成されている。また、ＬＥＤフレーム６８は、その前後方向長さが、図５に示すように、ＬＥＤ溝６９の前後方向長さと略同じ長さに形成され、その左右方向長さが、図２に示すように、１対の側壁５１の対向間隔よりも短く形成されている。
【０１１１】
また、ＬＥＤフレーム６８には、露光部材の一例としてのＬＥＤアレイ６７と、複数（２つ）の位置決めコロ７１と、複数（２つ）の被係合部７２（図１０（ｃ）参照）と、複数（２つ）の圧縮ばね７３（図５参照）とが設けられている。
【０１１２】
ＬＥＤアレイ６７は、対応する感光ドラム２０を露光するために設けられている。なお、複数（４つ）のＬＥＤアレイ６７のうち、上記した第１感光ドラムに対応するＬＥＤアレイ６７が、第１露光部材の一例として対応し、上記した第２感光ドラムに対応するＬＥＤアレイ６７が、第２露光部材の一例として対応する。
【０１１３】
ＬＥＤアレイ６７は、ＬＥＤフレーム６８の上面に配置されている。ＬＥＤアレイ６７は、左右方向に延びる平面視略矩形状に形成され、左右方向に並列配置される多数のＬＥＤを一体的に保持している。
【０１１４】
複数（２つ）の位置決めコロ７１のそれぞれは、略円板形状に形成され、ＬＥＤフレーム６８の左右両端部に回転可能に支持されている。また、位置決めコロ７１は、図５に示すように、ＬＥＤアレイ６７よりも上方に向かって僅かに突出するように設けられている。
【０１１５】
複数（２つ）の被係合部７２のそれぞれは、図１０（ｃ）に示すように、ＬＥＤフレーム６８の左右両端面に設けられ、ＬＥＤフレーム６８の左右両端面から左右方向外方に向かって突出する略円柱形状に形成されている。
【０１１６】
複数の圧縮ばね７３のそれぞれは、図５に示すように、空心コイル状に形成され、ＬＥＤフレーム６８の下面における左右両端部に配置されている。
【０１１７】
また、圧縮ばね７３は、その上端部がＬＥＤフレーム６８の下面に固定され、その下端部がＬＥＤ溝６９の底面に固定されている。
【０１１８】
これにより、ＬＥＤフレーム６８は、ＬＥＤアレイ６７が略上下方向に沿って移動するように、ＬＥＤ溝６９内に収容されている。詳しくは、ＬＥＤフレーム６８は、図５に示すように、ＬＥＤフレーム６８の下端部とＬＥＤ溝６９の底面とが、略上下方向に互いに間隔を隔てて対向配置される第３位置と、図９に示すように、ＬＥＤフレーム６８の下端部とＬＥＤ溝６９の底面とが接触する第４位置とに、略上下方向に沿って進退（移動）可能である。
【０１１９】
そして、ＬＥＤフレーム６８は、常には、図５に示すように、圧縮ばね７３により、上方に向かって付勢されており、第３位置に配置されている。
【０１２０】
進退部材７０は、図２に示すように、ＬＥＤユニット１９の左右両端部に配置されている。進退部材７０は、図１０（ｃ）に示すように、前後方向に延びる略平板形状に形成され、前後両端部が面取りされている。また、進退部材７０の前後方向長さは、図１０（ａ）に示すように、固定溝６３の前後方向長さよりも長く形成されている。
【０１２１】
また、進退部材７０の下面には、図１０（ｃ）に示すように、前後方向に互いに間隔を隔てて対向配置される１対の挿通部７５と、１対の挿通部７５の間に配置される係合部７４とが一体的に設けられている。
【０１２２】
１対の挿通部７５のそれぞれは、進退部材７０の下面から下方に向かって突出する側面視略矩形状に形成されている。また、１対の挿通部７５は、図１０（ａ）に示すように、前側の挿通部７５における前面から後側の挿通部７５における後面までの前後方向長さが、固定溝６３の前後方向長さと略同じ長さとなるように配置されている。
【０１２３】
係合部７４は、図１０（ｃ）に示すように、後側の挿通部７５の前側に形成され、進退部材７０の下面から後側の挿通部７５の前面に向かって、前方に向かうに従って下方に傾斜するように形成されている。
【０１２４】
そして、進退部材７０は、図２に示すように、係合部７４が、ＬＥＤフレーム６８の被係合部７２に上側から接触するとともに（図１０（ｃ）参照）、１対の挿通部７５が、ＬＥＤ支持部６６の前後両面と固定溝６３の前後両端縁との間の隙間に上側から挿入されるように（図１０（ａ）参照）、下側案内部５６の上側に配置されている。
【０１２５】
また、進退部材７０は、図１０（ａ）に示すように、ＬＥＤフレーム６８が常には第３位置に配置され、係合部７４が被係合部７２と接触しているので、被係合部７２により下側から支持されて（図１０（ｃ）参照）、常には、進退部材７０の下面と下側案内部５６の上面とが上下方向において互いに間隔を隔てて対向するように配置されている。
３．現像ユニットの詳細
（１）現像ドロワ
現像ユニット１８は、図３に示すように、現像器支持部材の一例としての現像ドロワ８０を備えている。現像ドロワ８０は、詳しくは後述するが、本体ケーシング２に装着される現像装着位置（図１参照）と、本体ケーシング２から引き出される現像引出位置（図８参照）とに、前後方向に沿ってスライド可能に設けられている。なお、現像ドロワ８０は、現像引出位置から、さらに前方に向かって引き出されることにより、本体ケーシング２から離脱可能である。
【０１２６】
現像ドロワ８０は、平面視略矩形枠形状に形成され、左右方向に間隔を隔てて対向配置される１対の現像側壁８１と、１対の現像側壁８１の前端部間に架設される現像フロントビーム８２と、１対の現像側壁８１の後端部間に架設される現像リヤビーム８３とを備えている。
【０１２７】
現像側壁８１は、前後方向に長手の略平板形状に形成されている。
【０１２８】
また、現像側壁８１には、図６（ａ）に示すように、退避位置決め溝９２と、回動軸溝９０と、ボスガイド溝９３とが形成されている。
【０１２９】
退避位置決め溝９２は、退避位置（後述）に配置された複数（４つ）の現像カートリッジ２３の位置決めボス１１４（後述）のそれぞれに対応するように、前後方向に互いに間隔を隔てて４つ形成されている。退避位置決め溝９２は、現像カートリッジ２３が退避位置（後述）から現像位置（後述）に移動されたときの位置決めボス１１４（後述）の移動軌跡に沿うように湾曲して形成され、現像側壁８１の上端縁から下方に向かって窪む側面視略Ｕ字状に形成されている。退避位置決め溝９２の溝幅は、位置決めボス１１４（後述）の外径よりも長く形成されている。
【０１３０】
回動軸溝９０は、４つの退避位置決め溝９２のそれぞれの後側において、現像カートリッジ２３の回動軸１１５（後述）に対応するように形成されている。回動軸溝９０は、現像側壁８１の上端縁から下方に向かって窪む側面視略Ｕ字状に形成されている。回動軸溝９０の溝幅は、回動軸１１５（後述）の外径と略同じ長さに形成されている。
【０１３１】
ボスガイド溝９３は、側面視略Ｌ字状に形成され、その後側部分が、４つの回動軸溝９０のそれぞれの後側に形成されるとともに、その前側部分が、その回動軸溝９０の下側に形成されている。
【０１３２】
詳しくは、ボスガイド溝９３は、複数（４つ）の現像カートリッジ２３のガイドボス１１６（後述）のそれぞれに対応するように、前後方向に互いに間隔を隔てて４つ形成され、着脱溝９８と、回動溝９９とから形成されている。
【０１３３】
着脱溝９８は、複数（４つ）の回動軸溝９０のそれぞれの後側における現像側壁８１の上端縁から下方に向かって窪むように形成されている。
【０１３４】
回動溝９９は、着脱溝９８の下端部から連続して、前方に向かって延びるように形成されており、現像カートリッジ２３が現像位置（後述）と退避位置（後述）とに移動されたときのガイドボス１１６（後述）の移動軌跡に沿う側面視略円弧形状に形成されている。
【０１３５】
また、左側の現像側壁８１には、カップリング溝９１が形成されている。
【０１３６】
カップリング溝９１は、退避位置（後述）に配置された現像カートリッジ２３の駆動入力部１１７（後述）に対応するように、退避位置決め溝９２と回動軸溝９０との前後方向における間に形成されている。カップリング溝９１は、現像側壁８１の上端縁から下方に向かって窪む側面視略Ｕ字状に形成されている。
【０１３７】
また、現像側壁８１には、図３に示すように、その左右方向外側面に、カム案内部９４が設けられている。
【０１３８】
カム案内部９４は、第１カム案内部９５と、第２カム案内部９６と、第３カム案内部９７とを備えている。
【０１３９】
第１カム案内部９５は、現像側壁８１の左右方向外側面の下端部において、現像側壁８１から左右方向外方に向かって突出する正面視略矩形状に形成され、前後方向に沿って延びる略杆状に形成されている。
【０１４０】
また、第１カム案内部９５には、その前側部分に、ギヤ溝８９が形成されている。
【０１４１】
ギヤ溝８９は、図６（ａ）に示すように、第１カム案内部９５の上面における前端部から下方に向かって窪む側面視略コ字状に形成されている。ギヤ溝８９は、図６（ｂ）に示すように、その前後方向長さが、ピニオンギヤ１０１（後述）の外径よりも僅かに長く形成され、その上下方向長さが、ピニオンギヤ１０１（後述）の外径よりも僅かに短く形成されている。
【０１４２】
第２カム案内部９６は、図６（ａ）に示すように、第１カム案内部９５の前端部の上方において、現像側壁８１から左右方向外方に向かって突出する略平板形状に形成され（図３参照）、現像側壁８１の前端縁から後方に向かって延びるように形成されている。これにより、第２カム案内部９６は、第１カム案内部９５の前端部と、上下方向に互いに間隔を隔てて対向するように設けられており、その対向間隔は、カム部材１００（後述）の上下方向長さと略同じ長さに形成されている。
【０１４３】
第３カム案内部９７は、第１カム案内部９５の後端部の上方において、現像側壁８１から左右方向外方に向かって突出する略平板形状に形成され（図３参照）、現像側壁８１の後端縁から前方に向かって延びるように形成されている。これにより、第３カム案内部９７は、第１カム案内部９５の後端部と、上下方向に互いに間隔を隔てて対向するように設けられており、その対向間隔は、カム部材１００（後述）の上下方向長さと略同じ長さに形成されている。
【０１４４】
また、１対の現像側壁８１のそれぞれは、図６（ｂ）に示すように、移動部材の一例としてのカム部材１００と、回転軸１０５と、ピニオンギヤ１０１とを備えている。
【０１４５】
カム部材１００は、前後方向に長手の略平板形状に形成され、その前後方向長さが、現像側壁８１の前後方向長さよりも短く形成されている。
【０１４６】
また、カム部材１００には、カム溝１０２と、ラックギヤ１０３とが形成されている。
【０１４７】
カム溝１０２は、複数（４つ）の現像カートリッジ２３のガイドボス１１６（後述）のそれぞれに対応するように、前後方向に互いに間隔を隔てて４つ形成されている。カム溝１０２は、カム部材１００の上端縁から下方に向かって窪む側面視略Ｕ字状に形成されている。カム溝１０２の溝幅は、ガイドボス１１６（後述）の外径と略同径に形成されている。
【０１４８】
ラックギヤ１０３は、カム部材１００の前端部における下面に形成されている。
【０１４９】
そして、カム部材１００は、その前端部が、第１カム案内部９５の前端部と第２カム案内部９６との間に配置されるとともに、その後端部が、第１カム案内部９５の後端部と第３カム案内部９７との間に配置されるように、現像側壁８１の左右方向外側面に配置されている。これにより、カム部材１００は、図７に示すように、カム部材１００の前端部と現像側壁８１の前端部とが左右方向から見て一致するように配置される第１位置と、図６（ｂ）に示すように、カム部材１００の後端部と現像側壁８１の後端部とが左右方向から見て一致するように配置される第２位置とに、前後方向に沿ってスライド移動可能に設けられている。
【０１５０】
詳しくは、図７に示すように、カム部材１００が第１位置に配置された状態において、４つのカム溝１０２のそれぞれは、対応するボスガイド溝９３の回動溝９９の前端部と左右方向に連通するように配置され、ラックギヤ１０３は、その後側部分が、ギヤ溝８９の上側に配置される。
【０１５１】
また、図６（ｂ）に示すように、カム部材１００が第２位置に配置された状態において、４つのカム溝１０２のそれぞれは、対応するボスガイド溝９３の着脱溝９８の下側部分と左右方向に連通するように配置され、ラックギヤ１０３は、その前端部が、ギヤ溝８９の上側に配置される。
【０１５２】
回転軸１０５は、図３に示すように、左右方向に延びる略円柱形状に形成され、その左右方向長さが、１対の現像側壁８１の対向間隔よりも長く形成されている。
【０１５３】
そして、回転軸１０５は、図６（ａ）に示すように、側面視においてギヤ溝８９の略中央部分に配置されるように、１対の現像側壁８１の前端部における下側部分間に架設されている（図１参照）。また、回転軸１０５は、図３に示すように、その左右両端部のそれぞれが、１対の現像側壁８１のそれぞれよりも左右方向外方に突出するように、各現像側壁８１に相対回転可能に支持されている。
【０１５４】
ピニオンギヤ１０１は、左右方向に延びる略円筒形状に形成され、ラックギヤ１０３に対応する第１ギヤ部１０６と、連結部材８の連結側ギヤ歯１３に対応する第２ギヤ部１０７とを一体的に備えている。
【０１５５】
第１ギヤ部１０６は、ピニオンギヤ１０１の左右方向内側部分であって、その周面には、その全周にわたって、ギヤ歯が形成されている。
【０１５６】
第２ギヤ部１０７は、ピニオンギヤ１０１の左右方向外側部分であって、第１ギヤ部１０６と中心軸線が一致する略円柱形状に形成されている。第２ギヤ部１０７の周面には、その全周にわたって、ギヤ歯が形成されている。なお、第１ギヤ部１０６および第２ギヤ部１０７の外径は、本実施形態においてそれぞれ同径であるが、カム部材１００の移動距離や連結部材８の移動距離に応じて適宜変更される。
【０１５７】
そして、ピニオンギヤ１０１は、第１ギヤ部１０６が、ギヤ溝８９内に配置されて、第１ギヤ部１０６の上側部分がラックギヤ１０３と噛合するように、回転軸１０５の左右方向端部（現像側壁８１から左右方向外方に突出した部分）に相対回転不能に支持されている。これにより、ピニオンギヤ１０１の第２ギヤ部１０７は、第１カム案内部９５よりも左右方向外方に向かって突出している。また、左右両側のピニオンギヤ１０１は、回転軸１０５を介して、現像側壁８１に対して一体的に回動可能に設けられている。
【０１５８】
現像フロントビーム８２は、左右方向に延びる略杆状に形成され（図１参照）、その左右方向略中央部分には、現像把持部１１０が一体的に設けられている。
【０１５９】
現像把持部１１０は、図１に示すように、現像フロントビーム８２の下端部から上方に向かって窪む側面視略コ字形状に形成されている。現像把持部１１０の前端部における下側部分は、図３に示すように、正面視略矩形状に切り欠かれている。
【０１６０】
現像リヤビーム８３は、左右方向に延びる略杆状に形成され（図１参照）、その左右方向中央部分には、その上端縁から下方に向かって背面視略コ字状に窪む凹部１１１が形成されている。
（２）現像カートリッジ
現像ドロワ８０には、複数（４つ）の現像カートリッジ２３が着脱自在に装着（支持）されている。
【０１６１】
なお、以下の説明において、現像カートリッジ２３の上下前後左右方向は、現像カートリッジ２３が後述する退避位置（図３、図５、図６（ａ）、図６（ｂ）、図８および図９）に位置するときを基準としている。
【０１６２】
現像カートリッジ２３は、図５に示すように、現像部４８と、現像部４８の後側に配置されるトナー収容部２７とを一体的に備えている。
【０１６３】
現像部４８は、左右方向に延び、後側が開放される略中空形状に形成されている（図３参照）。
【０１６４】
また、現像部４８内には、上記した現像ローラ２４、供給ローラ２５および層厚規制ブレード２６が収容されており、現像ローラ２４の上側部分が上方から露出されている。
【０１６５】
トナー収容部２７は、左右方向に延びる略円筒形状に形成されており、その前端部において、現像部４８と連通されている。
【０１６６】
また、トナー収容部２７の外周面には、カートリッジ把持部４７が一体的に設けられている。
【０１６７】
カートリッジ把持部４７は、図３に示すように、トナー収容部２７と連続するように、トナー収容部２７の上端部における左右方向中央部分から、上方に向かって突出した後、後方に向かって屈曲する断面略Ｌ字状に形成されている（図５参照）。
【０１６８】
そして、現像部４８およびトナー収容部２７の左右両端部は、１対のカートリッジ側壁１１３で閉鎖されている。
【０１６９】
１対のカートリッジ側壁１１３のそれぞれは、側面視略半円形状の略平板形状に形成されている。
【０１７０】
カートリッジ側壁１１３の左右方向外側面には、位置決めボス１１４と、回動軸１１５と、ガイドボス１１６とが設けられている。
【０１７１】
なお、上記した第１現像器に対応する現像カートリッジ２３に設けられる回動軸１１５が、第１回動軸の一例として対応し、上記した第２現像器に対応する現像カートリッジ２３に設けられる回動軸１１５が、第２回動軸の一例として対応する。
【０１７２】
位置決めボス１１４は、カートリッジ側壁１１３の上側部分における前端部に設けられ、カートリッジ側壁１１３の左右方向外側面から左右方向外方に向かって突出する略円柱形状に形成されている。位置決めボス１１４の左右方向長さは、現像側壁８１の厚みと略同じ長さに形成されている。
【０１７３】
回動軸１１５は、位置決めボス１１４の後上側に設けられ（図６（ａ）参照）、カートリッジ側壁１１３の左右方向外側面から左右方向外方に向かって突出する略円柱形状に形成されている。位置決めボス１１４の左右方向長さは、現像側壁８１の厚みよりも長く形成されている。
【０１７４】
ガイドボス１１６は、回動軸１１５の後下側であって、カートリッジ側壁１１３の後端部における上下方向略中央部分に設けられ（図６（ａ）参照）、カートリッジ側壁１１３の左右方向外側面から左右方向外方に向かって突出する略円柱形状に形成されている。ガイドボス１１６の左右方向長さは、現像側壁８１の厚みとカム部材１００の厚みとの総和と略同じ長さに形成されている。
【０１７５】
また、１対のカートリッジ側壁１１３のうち、左側のカートリッジ側壁１１３には、駆動入力部１１７が形成されている。
【０１７６】
駆動入力部１１７は、前後方向において、位置決めボス１１４と回動軸１１５との間に設けられ、カートリッジ側壁１１３の左右方向外側面から左右方向外方に向かって突出する略円柱形状に形成されている。
【０１７７】
そして、現像カートリッジ２３は、図６（ａ）に示すように、回動軸１１５が回動軸溝９０に、相対回転可能に収容されることにより、現像ドロワ８０に対して、相対的に回動可能に支持されている。
【０１７８】
詳しくは、現像カートリッジ２３は、回動軸１１５を支点として、位置決めボス１１４が退避位置決め溝９２に配置されるとともに、ガイドボス１１６の左右方向内側部分が着脱溝９８の下端部に配置される退避位置（図３参照）と、図７に示すように、位置決めボス１１４が退避位置決め溝９２から上方に離脱されるとともに、ガイドボス１１６の左右方向内側部分が回動溝９９の前端部に配置される現像位置とに回動可能である。
【０１７９】
現像カートリッジ２３が退避位置に配置された状態において、現像ローラ２４は、図５に示すように、現像側壁８１の上端縁よりも下側に配置されている。つまり、現像カートリッジ２３が退避位置に配置された状態において、現像ローラ２４は、前後方向に投影すると、現像ドロワ８０と重なるように配置されている。
【０１８０】
また、現像カートリッジ２３が現像位置に配置された状態において、現像ローラ２４は、図１に示すように、現像側壁８１の上端縁よりも上側に配置されている。つまり、現像カートリッジ２３が現像位置に配置された状態において、現像ローラ２４は、前後方向に投影すると、現像ドロワ８０から露出するように配置されている。
【０１８１】
なお、複数（４つ）の現像カートリッジ２３のうち、上記した第１現像器に対応する現像カートリッジ２３が現像位置に配置された状態が、第１現像位置の一例として対応し、上記した第１現像器に対応する現像カートリッジ２３が退避位置に配置された状態が、第１退避位置の一例として対応する。
【０１８２】
また、複数（４つ）の現像カートリッジ２３のうち、上記した第２現像器に対応する現像カートリッジ２３が現像位置に配置された状態が、第２現像位置の一例として対応し、上記した第２現像器に対応する現像カートリッジ２３が退避位置に配置された状態が、第２退避位置の一例として対応する。
【０１８３】
また、ガイドボス１１６の左右方向外側部分は、図３に示すように、カム部材１００のカム溝１０２内に配置されている。
【０１８４】
そのため、カム部材１００が、図６（ｂ）に示すように、第２位置に配置された状態では、カム溝１０２が着脱溝９８の下側部分と左右方向において連通するように配置されるので、現像カートリッジ２３は、ガイドボス１１６が着脱溝９８の下端部に配置されることにより、退避位置に配置される。
【０１８５】
一方、カム部材１００が、図７に示すように、第１位置に配置された状態では、カム溝１０２が回動溝９９の前端部と左右方向において連通するように配置されるので、現像カートリッジ２３は、ガイドボス１１６が回動溝９９の前端部に配置されることにより、現像位置に配置される。
【０１８６】
なお、現像カートリッジ２３は、図６（ｂ）に示すように、カム部材１００が第２位置に配置された状態において、カム溝１０２および着脱溝９８のそれぞれが上方に向かって開放されているので、現像ドロワ８０に対して上下方向に沿って着脱可能である。
４．ドラムユニットの詳細
（１）ドラムフレーム
ドラムユニット１７は、図４に示すように、ドラム支持部材の一例としてのドラムドロワ１１９を備えている。ドラムドロワ１１９は、詳しくは後述するが、本体ケーシング２に装着されるドラム装着位置（図１参照）と、本体ケーシング２から引き出されるドラム引出位置（図９参照）とに、前後方向に沿ってスライド可能に設けられている。なお、ドラムドロワ１１９は、ドラム引出位置から、さらに前方に向かって引き出されることにより、本体ケーシング２から離脱される。
【０１８７】
ドラムドロワ１１９は、後方に向かって開放される平面視略コ字状に形成され、左右方向に間隔を隔てて対向配置される１対のドラム側壁１２０と、１対のドラム側壁１２０の前端部間に架設されるドラムフロントビーム１２１とを備えている。
【０１８８】
ドラム側壁１２０は、前後方向に沿って延び、左右方向に厚みを有する略平板形状に形成されている。
【０１８９】
ドラム側壁１２０には、現像位置決め溝１２２と、ドラム貫通穴１２３と、係合溝１２４（図１参照）とが形成されている。
【０１９０】
現像位置決め溝１２２は、図７に示すように、現像位置に配置された複数（４つ）の現像カートリッジ２３の位置決めボス１１４（後述）のそれぞれに対応するように、前後方向に互いに間隔を隔てて４つ形成されている。現像位置決め溝１２２は、現像カートリッジ２３が現像位置（後述）から退避位置（後述）に移動するときの位置決めボス１１４の移動軌跡に沿うように湾曲して形成され、ドラム側壁１２０の下端縁から後上方に向かって窪む側面視略Ｕ字状に形成されている。
【０１９１】
ドラム貫通穴１２３は、４つの現像位置決め溝１２２のそれぞれの後上側において、前後方向に互いに間隔を隔てて４つ形成されている。ドラム貫通穴１２３は、感光ドラム２０の左右方向端面に対応するように、側面視略円形状に貫通形成されている。
【０１９２】
係合溝１２４は、基準軸８４に対応して形成され、ドラム側壁１２０の後端縁から前方に向かって窪む側面視略Ｖ字状に形成されている。
【０１９３】
また、ドラム側壁１２０には、当接部１２５と、切欠部１２６とが設けられている。
【０１９４】
当接部１２５は、図４に示すように、ドラム側壁１２０の上面における後端部に設けられ、ドラム側壁１２０の上面から上方に向かって突出する側面視略矩形状に形成されている（図７参照）。当接部１２５の前端部は、前方に向かうに従って下方に傾斜するように形成されている。
【０１９５】
切欠部１２６は、ドラム側壁１２０の上面における前端部に形成され、ドラム側壁１２０の上面から下方に向かって窪む側面視略矩形状に形成されている。切欠部１２６の後端部は、前方に向かうに従って下方に傾斜するように形成されている。
【０１９６】
また、１対のドラム側壁１２０間には、複数（４つ）の感光ドラム２０と、上記した帯電ローラ２１およびドラムクリーニングローラ２２（図１参照）とが一体的に支持されている。
【０１９７】
感光ドラム２０は、左右方向に延びる略円筒形状に形成されており、その左右両端部のそれぞれが、対応するドラム貫通穴１２３に挿通され、ドラム側壁１２０に対して相対回転可能に支持されている。
【０１９８】
ドラムフロントビーム１２１は、左右方向に延びる略杆状に形成され、位置決め軸１２７を支持している。
【０１９９】
位置決め軸１２７は、左右方向に延びる略円柱形状に形成され、その左右方向長さが、１対のドラム側壁１２０の対向間隔よりも長く形成されている。
【０２００】
そして、位置決め軸１２７は、ドラムフロントビーム１２１を左右方向に貫通し、さらに１対のドラム側壁１２０のそれぞれを貫通して、１対のドラム側壁１２０のそれぞれから左右方向外方に向かって突出している。
【０２０１】
また、ドラムフロントビーム１２１には、ドラム把持部１２８が一体的に設けられている。
【０２０２】
ドラム把持部１２８は、ドラムフロントビーム１２１の左右方向略中央部分に設けられ、図１に示すように、ドラムフロントビーム１２１の下端部から上方に向かって窪む側面視略コ字形状に形成されている。また、ドラム把持部１２８の前端部における下側部分は、図４に示すように、正面視略矩形状に切り欠かれている。
５．本体ケーシングに対する現像ユニットの装着および引き出し動作
次に、本体ケーシング２に対する現像ユニット１８の装着および引き出し動作について説明する。
（１）本体ケーシングに対する現像ユニットの装着動作
現像ユニット１８を本体ケーシング２に対して装着するには、まず、図６（ｂ）に示すように、カム部材１００を第２位置に配置して、複数（４つ）の現像カートリッジ２３を退避位置に配置する。
【０２０３】
次いで、図１に示すように、フロントカバー７を開放位置に配置して、開口部６を開放する。
【０２０４】
そして、図８に示すように、現像ユニット１８の現像把持部１１０を把持して、現像側壁８１の後端部が、現像案内部５３の上面と下側案内部５６の下面との間に配置されるように（図２参照）、現像ユニット１８を、開口部６（図１参照）を介して、本体ケーシング２に対して前側から挿入する。
【０２０５】
続いて、図５に示すように、現像ユニット１８（現像ドロワ８０）を、現像側壁８１の後端部が突部５８の前面に当接するまで後方に移動させて、現像ドロワ８０を現像装着位置に配置する。
【０２０６】
そうすると、複数（４つ）の現像カートリッジ２３のそれぞれは、対応する感光ドラム２０の下側に配置される。
【０２０７】
また、現像側壁８１の退避位置決め溝９２と、下側案内部５６のボス通過溝６２と、ドラム側壁１２０の現像位置決め溝１２２とが、連続するように配置され、後方に向かって開放される側面視略Ｃ字状に形成される。
【０２０８】
次いで、図１に示すように、フロントカバー７を開放位置から閉鎖位置に向けて移動させる。
【０２０９】
そうすると、図７において点線で示すように、フロントカバー７の連結部材８の連結側ギヤ歯１３が、現像ユニット１８のピニオンギヤ１０１の第２ギヤ部１０７（図３参照）の前下側部分に噛合（連結）される。
【０２１０】
さらに、フロントカバー７を閉鎖位置に向けて移動させると、連結部材８が、矢印で示す移動方向Ａに沿って後下方に向かって移動される。これにより、ピニオンギヤ１０１が、矢印で示す回転方向Ｂ（左側面視時計方向）に回転し、カム部材１００を第２位置（図６（ｂ）参照）から第１位置に向かって前方に移動させる。
【０２１１】
つまり、連結部材８は、フロントカバー７が開放位置から閉鎖位置へ移動されるときに、ピニオンギヤ１０１を介して、カム部材１００と連結し、カム部材１００を第２位置から第１位置へ移動させる。
【０２１２】
カム部材１００が、第２位置から第１位置へ移動されると、その移動に伴なって、現像カートリッジ２３のガイドボス１１６が、着脱溝９８の下端部から（図６（ｂ）参照）、回動溝９９の前端部（図７参照）に移動される（図６（ａ）参照）。
【０２１３】
これにより、現像カートリッジ２３は、現像ドロワ８０に支持された状態において、回動軸１１５を支点として、退避位置から、矢印で示す回転方向Ｃ（左側面視反時計方向）に回動され、現像位置に配置される。すなわち、すべての現像カートリッジ２３は、フロントカバー７の開放位置から閉鎖位置への移動に伴なって、退避位置から現像位置に移動される。
【０２１４】
このとき、位置決めボス１１４は、退避位置決め溝９２からボス通過溝６２（図５参照）を通過して、現像位置決め溝１２２に到達し、現像位置決め溝１２２の上端部に配置される。
【０２１５】
以上により、現像ユニット１８の本体ケーシング２に対する装着が完了する。
【０２１６】
現像ドロワ８０が現像装着位置に配置されるとともに、現像カートリッジ２３が現像位置に配置された状態において、現像カートリッジ２３は、図１に示すように、前後方向に投影すると、その上側部分（現像部４８）がＬＥＤユニット１９と重なるように配置されている。このとき、現像ローラ２４は、対応する感光ドラム２０に対して前下側から接触されている。
【０２１７】
なお、現像カートリッジ２３が現像位置に配置された状態において、感光ドラム２０には、ドラム露出穴６４（図２参照）を介して、ドラムカップリング（図示せず）が連結され、ドラムカップリング（図示せず）を介して、駆動源（図示せず）からの駆動力が入力される。また、現像カートリッジ２３が現像位置に配置された状態において、現像カートリッジ２３の駆動入力部１１７には、挿通穴６５（図２参照）を介して、現像カップリング（図示せず）が連結され、現像カップリング（図示せず）を介して、駆動源（図示せず）からの駆動力が入力される。これにより、現像ローラ２４および供給ローラ２５に駆動力が伝達される。
（２）本体ケーシングに対する現像ユニットの引き出し動作
現像ユニット１８を本体ケーシング２から引き出すには、上記した現像ユニット１８の装着動作と逆の手順に操作する。
【０２１８】
具体的には、まず、フロントカバー７を閉鎖位置から開放位置（二点鎖線参照）に向かって移動させる。
【０２１９】
そうすると、フロントカバー７の連結部材８が、図７に示すように、矢印で示す移動方向Ｄに沿って前上方に向かって移動される。これにより、ピニオンギヤ１０１が、矢印で示す回転方向Ｅ（左側面視反時計方向）に回転し、カム部材１００を第１位置から第２位置（図６（ｂ）参照）に向かって後方に移動させる。
【０２２０】
つまり、連結部材８は、フロントカバー７が閉鎖位置から開放位置へ移動されるときに、カム部材１００を第１位置から第２位置へ移動させる。
【０２２１】
カム部材１００が、第１位置から第２位置へ移動されると、その移動に伴なって、現像カートリッジ２３のガイドボス１１６が、回動溝９９の前端部（図６（ａ）参照）から、着脱溝９８の下端部（図６（ｂ）参照）に移動される。
【０２２２】
これにより、現像カートリッジ２３は、現像ドロワ８０に支持された状態において、回動軸１１５を支点として、現像位置から、矢印で示す回転方向Ｆ（左側面視時計方向）に回動され、退避位置に配置される。すなわち、すべての現像カートリッジ２３は、フロントカバー７の閉鎖位置から開放位置への移動に伴なって、現像位置から退避位置に移動される。
【０２２３】
このとき、位置決めボス１１４は、図６（ｂ）に示すように、現像位置決め溝１２２からボス通過溝６２（図５参照）を通過して、現像位置決め溝９２に到達し、現像位置決め溝９２の下端部に配置される。
【０２２４】
現像ドロワ８０が現像装着位置に配置されるとともに、現像カートリッジ２３が退避位置に配置された状態において、現像カートリッジ２３は、図５に示すように、前後方向に投影すると、その上側部分（現像部４８）がＬＥＤユニット１９の投影面から退避するように、現像ドロワ８０内に配置されている。このとき、現像ローラ２４は、対応する感光ドラム２０から離間されている。
【０２２５】
次いで、現像フロントビーム８２の現像把持部１１０を把持して、図８に示すように、現像ユニット１８を、開口部６（図１参照）を介して、本体ケーシング２に対して前側に引き出す。
【０２２６】
そうすると、現像ユニット１８（現像ドロワ８０）は、現像側壁８１の下端部が、現像案内部５３の上面に案内されることにより、開口部６を介して、本体ケーシング２から前側に引き出される。
【０２２７】
これにより、現像ドロワ８０は、本体ケーシング２から引き出される現像引出位置に配置される。
【０２２８】
以上により、現像ユニット１８の本体ケーシング２からの引き出しが完了する。
【０２２９】
このとき、現像カートリッジ２３は、退避位置に配置されているので、現像ドロワ８０に対して着脱可能である。
【０２３０】
詳しくは、図３に示すように、現像カートリッジ２３のカートリッジ把持部４７を把持して、上方に向かって引き出すことにより、ガイドボス１１６が着脱溝９８に案内されて、現像カートリッジ２３が現像ドロワ８０から上方に離脱される。なお、現像カートリッジ２３を現像ドロワ８０に装着するには、現像カートリッジ２３の離脱動作と逆の手順に操作する。
６．本体ケーシングに対するドラムユニットの装着および引き出し動作
次に、本体ケーシング２に対するドラムユニット１７の装着および引き出し動作について説明する。
（１）本体ケーシングに対するドラムユニットの装着動作
ドラムユニット１７を本体ケーシング２に対して装着するには、まず、図１に示すように、フロントカバー７を開放位置に配置して、開口部６を開放する。
【０２３１】
これにより、上記したように、現像ドロワ８０に支持される現像カートリッジ２３が退避位置に配置される（図５参照）。
【０２３２】
次いで、図９に示すように、ドラムユニット１７のドラム把持部１２８を把持して、ドラム側壁１２０の後端部が、下側案内部５６の上面と上側案内部５５の下面との間に配置されるように（図２参照）、ドラムユニット１７を、開口部６（図１参照）を介して、本体ケーシング２に対して前側から挿入する。
【０２３３】
そうすると、図１０（ａ）に示すように、ドラム側壁１２０の当接部１２５が、上側案内部５５の第２被当接部６０と接触するとともに、ドラム側壁１２０の後端部における下面が、下側案内部５６の上面と接触するように、ドラムユニット１７の後端部が、本体ケーシング２内に挿入される。
【０２３４】
続いて、ドラムユニット１７（ドラムドロワ１１９）を後方に向かって移動させると、当接部１２５が第１被当接部５７に到達するとともに、ドラム側壁１２０の後端部が、４つの進退部材７０のうち、最も前側の進退部材７０に到達する。
【０２３５】
そうすると、ドラムユニット１７（ドラムドロワ１１９）は、進退部材７０を乗り越えるように、進退部材７０の上側に配置される。
【０２３６】
このとき、当接部１２５が第１被当接部５７に当接され、ドラムユニット１７は、上方への移動が規制される。そのため、進退部材７０は、ドラムユニット１７のドラム側壁１２０によって下方に向かって押圧され、進退部材７０の下面と下側案内部５６の上面とが接触するまで、下方に移動される。
【０２３７】
これにより、ＬＥＤフレーム６８の被係合部７２は、図１０（ｃ）に示すように、進退部材７０の係合部７４を介して、下方に向かって押圧され、ＬＥＤフレーム６８は、図９に示すように、圧縮ばね７３の付勢力に抗して、第３位置（図５参照）から第４位置に移動される。
【０２３８】
このとき、ドラムドロワ１１９は、ドラムドロワ１１９に支持される感光ドラム２０と、ベルトユニット３０の中間転写ベルト３３とが、離間する（上下方向に僅かに間隔を隔てて対向する）離間位置に配置されている。
【０２３９】
次いで、ドラムユニット１７を後方に向かってさらに移動させると、ドラムドロワ１１９は、離間位置に配置された状態のまま、すべての進退部材７０の上側に配置される。
【０２４０】
これにより、すべてのＬＥＤフレーム６８が、第３位置（図５参照）から第４位置に移動される。
【０２４１】
次いで、ドラムユニット１７を後方に向かってさらに移動させると、図１０（ａ）に示すように、当接部１２５が許容部６１に到達するとともに、切欠部１２６が第２被当接部６０の下側に配置される。このとき、切欠部１２６の上面と第２被当接部６０とは、上下方向において互いに間隔を隔てて対向配置されている。
【０２４２】
そのため、ドラムユニット１７は、上方への移動の規制が解除される。そうすると、すべてのＬＥＤフレーム６８が、圧縮ばね７３の付勢力により（図５参照）、第４位置（図９参照）から第３位置に移動される。
【０２４３】
これにより、ドラムドロワ１１９は、４つの進退部材７０を介して、４つの圧縮ばね７３の付勢力により、上方に向かって付勢される。
【０２４４】
そのため、ドラムドロワ１１９は、離間位置から上方に向かって移動され、ドラムドロワ１１９に支持される感光ドラム２０と、ベルトユニット３０の中間転写ベルト３３とが接触する接触位置に配置される。
【０２４５】
このとき、ドラム側壁１２０の係合溝１２４は、本体ケーシング２の基準軸８４を受け入れて、基準軸８４の前上側および下側と当接され、位置決め軸１２７の左右方向端部は、本体ケーシング２の位置決め溝５２に挿通され、位置決め軸１２７の上側が位置決め溝５２の上端縁と当接される。
【０２４６】
これにより、ドラムドロワ１１９は、その前後両端部が本体ケーシング２に対して位置決めされており、ドラムドロワ１１９に支持される感光ドラム２０は、本体ケーシング２に対して位置決めされている。
【０２４７】
以上により、ドラムドロワ１１９が、本体ケーシング２に装着されるドラム装着位置に配置される。
【０２４８】
ドラムドロワ１１９がドラム装着位置に配置された状態において、図５に示すように、ＬＥＤユニット１９は、対応する感光ドラム２０に対して、中間転写ベルト３３の反対側（下側）に配置されている。
【０２４９】
また、ＬＥＤフレーム６８の位置決めコロ７１は、感光ドラム２０の左右両端部に下側から当接され、ＬＥＤアレイ６７は、対応する感光ドラム２０と上下方向において間隔を隔てて対向配置される露光位置に配置されている。なお、上記した第１露光部材に対応するＬＥＤアレイ６７が露光位置に配置された状態が、第１露光位置の一例として対応し、上記した第２露光部材に対応するＬＥＤアレイ６７が露光位置に配置された状態が、第２露光位置の一例として対応する。
【０２５０】
次いで、図１に示すように、フロントカバー７を開放位置から閉鎖位置に向けて移動させる。
【０２５１】
そうすると、上記したように、現像カートリッジ２３が、退避位置（図５参照）から露光位置に移動される。
【０２５２】
以上により、ドラムユニット１７の本体ケーシング２に対する装着が完了する。
（２）本体ケーシングに対するドラムユニットの引き出し動作
ドラムユニット１７を本体ケーシング２から引き出すには、上記したドラムユニット１７の装着動作と逆の手順に操作する。
【０２５３】
具体的には、まず、フロントカバー７を開放位置（二点鎖線参照）に配置して、現像カートリッジ２３を退避位置に配置する（図５参照）。
【０２５４】
次いで、図９に示すように、ドラムフロントビーム１２１のドラム把持部１２８を把持して、ドラムユニット１７を、開口部６（図１参照）を介して、本体ケーシング２に対して前側に引き出す。
【０２５５】
そうすると、図１０（ｂ）に示すように、当接部１２５が第１被当接部５７に到達して当接されるとともに、切欠部１２６の後側におけるドラム側壁１２０の上端部が、第２被当接部６０に到達して当接される。
【０２５６】
これにより、ドラムドロワ１１９が、第１被当接部５７および第２被当接部６０に押圧されて、接触位置から、下方に向かって移動され、離間位置に配置される。つまり、第１被当接部５７は、ドラムドロワ１１９が本体ケーシング２から引き出されるときに、当接部１２５と当接することにより、ドラムドロワ１１９を、接触位置から離間位置に向かって押圧し、接触位置から離間位置に移動（変位）させる。
【０２５７】
このとき、ドラムドロワ１１９の接触位置から離間位置への移動に伴なって、すべてのＬＥＤフレーム６８が、第３位置（図５参照）から第４位置に移動され、すべてのＬＥＤアレイ６７が、露光位置から下方に向かって退避（移動）され、引出許容位置に配置される。
【０２５８】
なお、上記した第１露光部材に対応するＬＥＤアレイ６７が引出許容位置に配置された状態が、第１引出許容位置の一例として対応し、上記した第２露光部材に対応するＬＥＤアレイ６７が引出許容位置に配置された状態が、第２引出許容位置の一例として対応する。
【０２５９】
さらに、ドラムドロワ１１９を本体ケーシング２に対して前側に引き出すことにより、ドラムドロワ１１９は、本体ケーシング２から引き出されるドラム引出位置に配置される。
【０２６０】
以上により、ドラムユニット１７の本体ケーシング２からの引き出しが完了する。
７．作用効果
（１）カラープリンタ１では、図１および図５に示すように、現像カートリッジ２３が、現像ドロワ８０に支持された状態において、現像位置と退避位置とに移動可能である。そのため、ＬＥＤユニット１９（ＬＥＤアレイ６７）を本体ケーシング２に設けていても、現像カートリッジ２３を退避位置に配置することにより、図８に示すように、現像ドロワ８０を本体ケーシング２から引き出すことができる。
【０２６１】
つまり、複数（４つ）の現像カートリッジ２３を支持する現像ドロワ８０を本体ケーシング２から引き出すことができながら、ＬＥＤアレイ６７を進退させるためのスペースを確保する必要がない。
【０２６２】
そのため、ＬＥＤユニット１９（ＬＥＤアレイ６７）の効率的な配置を確保することができながら、カラープリンタ１の小型化を図ることができる。
【０２６３】
また、現像ドロワ８０を本体ケーシング２から引き出すときに、現像カートリッジ２３が、外部の部材（例えば、当該現像カートリッジ２３の前側に配置されるＬＥＤユニット１９など）と干渉することを抑制でき、現像ドロワ８０の本体ケーシング２からの円滑な引き出し動作を確保できる。
【０２６４】
また、ＬＥＤアレイ６７は、本体ケーシング２に設けられているので、現像ドロワ８０が本体ケーシング２から引き出された状態（現像引出位置に配置された状態）においても、本体ケーシング２内に配置されている。
【０２６５】
つまり、現像ドロワ８０が本体ケーシング２外に引き出されるのに対して、ＬＥＤアレイ６７は本体ケーシング２内に配置されている。そのため、現像カートリッジ２３とＬＥＤアレイ６７とが干渉することが抑制され、ＬＥＤアレイ６７が損傷することを抑制できるとともに、現像カートリッジ２３の現像ドロワ８０に対する着脱作業の円滑化を図ることができる。
【０２６６】
従って、ＬＥＤアレイ６７の効率的な配置を確保することができながら、カラープリンタ１の小型化を図ることができ、さらには、ＬＥＤアレイ６７の損傷を抑制できるとともに、現像カートリッジ２３の現像ドロワ８０に対する着脱作業の円滑化を図ることができる。
（２）現像カートリッジ２３のカートリッジ側壁１１３には、図３に示すように、回動軸１１５が設けられている。そして、現像カートリッジ２３は、図７に示すように、回動軸１１５を支点として、現像位置と退避位置とに回動可能である。
【０２６７】
そのため、簡易な構成でありながら、現像カートリッジ２３を現像位置と退避位置とに円滑に回動させることができる。
【０２６８】
その結果、画像形成時において、現像カートリッジ２３を確実に現像位置に配置することができながら、図８に示すように、現像ドロワ８０を本体ケーシング２から引き出すときに、現像カートリッジ２３を現像位置から退避位置に円滑に移動させることができる。
（３）また、現像ローラ２４は、図５に示すように、現像カートリッジ２３が退避位置に配置された状態において、前後方向（複数（４つ）の感光ドラムの並列方向）に投影したときに、現像ドロワ８０に重なるように配置される。一方、図１に示すように、現像カートリッジ２３が現像位置に配置された状態において、前後方向に投影したときに、現像ローラ２４は、現像ドロワ８０から露出するように配置される。
【０２６９】
そのため、現像ローラ２４は、現像カートリッジ２３が退避位置に配置された状態では、現像ドロワ８０が引き出されたときに、ユーザが不用意に現像ローラ２４と接触することを抑制できる。
【０２７０】
一方、現像ローラ２４は、現像カートリッジ２３が現像位置に配置された状態では、現像ローラ２４と感光ドラムとの確実な接触を確保することができる。
（４）また、本体ケーシング２の前壁には、図１に示すように、現像ドロワ８０を引き出すための開口部６が形成されるとともに、開口部６を開放する開放位置と、開口部を閉鎖する閉鎖位置とに移動可能なフロントカバー７が設けられている。
【０２７１】
そして、現像カートリッジ２３は、図７に示すように、フロントカバー７の閉鎖位置から開放位置への移動に伴なって、現像位置から退避位置に移動され、フロントカバー７の開放位置から閉鎖位置への移動に伴なって、退避位置から現像位置に移動される。
【０２７２】
そのため、開口部６を介して、現像ドロワ８０を本体ケーシング２から円滑に引き出すことができる。
【０２７３】
また、フロントカバー７の閉鎖位置と開放位置とへの移動に伴なって、現像カートリッジ２３が現像位置と退避位置とに移動する、すなわち、現像カートリッジ２３とフロントカバー７とが連動するので、ユーザが、フロントカバー７および現像カートリッジ２３のそれぞれを独立して移動させる場合と比較して、現像ドロワ８０の本体ケーシング２に対する引き出し作業の効率化を図ることができる。
【０２７４】
また、フロントカバー７と現像カートリッジ２３とが連動するので、現像ドロワ８０を本体ケーシング２から引き出すために、フロントカバー７を開放位置に配置すれば、現像カートリッジ２３が現像位置に配置される。その結果、ＬＥＤユニット１９と現像カートリッジ２３とが干渉することを抑制できる。また、現像ドロワ８０の本体ケーシング２からの円滑な引き出し動作を確実に確保できる。
【０２７５】
従って、現像ドロワ８０の本体ケーシング２に対する引き出し作業の効率化を図ることができながら、ＬＥＤアレイ６７と現像カートリッジ２３とが干渉することを抑制できる。
（５）また、現像ドロワ８０は、図３に示すように、その現像側壁８１の左右方向外側面に、カム部材１００を備えている。
【０２７６】
カム部材１００は、図６（ａ）および図６（ｂ）に示すように、現像カートリッジ２３を現像位置に配置させる第１位置と、現像カートリッジ２３を退避位置に配置させる第２位置とに移動可能である。
【０２７７】
また、フロントカバー７は、図１に示すように、連結部材８を備えている。
【０２７８】
そのため、フロントカバー７を開放位置から閉鎖位置に移動させると、フロントカバー７の連結部材８が、ピニオンギヤ１０１を介して、カム部材１００と連結され、カム部材１００を第２位置から第１位置へ移動させることができる。これにより、現像カートリッジ２３が、確実に現像位置と退避位置とに移動される。
【０２７９】
そのため、現像カートリッジ２３とフロントカバー７とを確実に連動させることができる。
（６）また、カラープリンタ１は、図４に示すように、複数（４つ）の感光ドラム２０を一体的に支持し、本体ケーシング２に対して、前後方向に沿って引き出し可能に装着されるドラムドロワ１１９を備えている。
【０２８０】
そのため、現像ドロワ８０とドラムドロワ１１９とをそれぞれ独立して、本体ケーシング２から引き出すことができるので、寿命の異なる現像カートリッジ２３と感光ドラム２０とをそれぞれ独立して交換することができる。
【０２８１】
そのため、カラープリンタ１のメンテナンス性の向上、および、ランニングコスト低減を図ることができる。
【０２８２】
また、ドラムドロワ１１９が複数（４つ）の感光ドラム２０を一体的に支持しているので、複数（４つ）の感光ドラム２０を同時に交換することができる。その結果、複数（４つ）の感光ドラム２０の交換作業の効率化を図ることができる。
（７）また、カラープリンタ１は、図１に示すように、本体ケーシング２内において、中間転写ベルト３３を備えている。
【０２８３】
そして、ドラムドロワ１１９は、図９および図１０（ｂ）に示すように、本体ケーシング２から引き出されるときに、複数（４つ）の感光ドラム２０と中間転写ベルト３３とが接触する接触位置から、複数（４つ）の感光ドラム２０と中間転写ベルト３３とが離間する離間位置に移動される。
【０２８４】
そのため、ドラムドロワ１１９が本体ケーシング２から引き出されるときに、複数（４つ）の感光ドラム２０と中間転写ベルト３３とが離間される。その結果、ドラムドロワ１１９を本体ケーシング２から引き出すときに、複数（４つ）の感光ドラム２０と中間転写ベルト３３とが摺擦することを抑制でき、複数（４つ）の感光ドラム２０が損傷することを抑制できる。
（８）また、本体ケーシング２は、図１０（ｂ）に示すように、ドラムドロワ１１９の本体ケーシング２に対する引き出しを案内するためのドラム案内部５４を備えている。
【０２８５】
そのため、本体ケーシング２に対するドラムドロワ１１９の円滑な引き出し動作を確保することができる。
【０２８６】
また、ドラム案内部５４は、ドラムドロワ１１９が本体ケーシング２から引き出されるときに、ドラムドロワ１１９を接触位置から離間位置に変位させる第１被当接部５７を備えている。
【０２８７】
また、ドラムドロワ１１９は、ドラムドロワ１１９が本体ケーシング２から引き出されるときに、接触位置から離間位置に向かって押圧されるように、第１被当接部５７に当接される当接部１２５を備えている。
【０２８８】
そのため、ドラムドロワ１１９が本体ケーシング２から引き出されるときに、当接部１２５が第１被当接部５７に当接されることにより、ドラムドロワ１１９は接触位置から離間位置に向かって押圧される。その結果、ドラムドロワ１１９を確実に接触位置から離間位置に移動させることができる。
（９）また、ＬＥＤユニット１９（ＬＥＤアレイ６７）は、図５に示すように、ドラムドロワ１１９がドラム装着位置に配置された状態において、対応する感光ドラム２０の下側（中間転写ベルト３３の反対側）に配置されている。
【０２８９】
また、ＬＥＤアレイ６７は、対応する感光ドラム２０と上下方向に間隔を隔てて対向配置される露光位置と、図９に示すように、露光位置から下方に向かって退避される引出許容位置とに移動可能である。
【０２９０】
そして、ＬＥＤユニット１９は、ドラムドロワ１１９の接触位置から離間位置への移動に伴なって、露光位置から引出許容位置に移動される。
【０２９１】
そのため、ドラムドロワ１１９が、図１０（ｂ）に示すように、本体ケーシング２から引き出されるときに、接触位置から離間位置へ移動されると、ＬＥＤユニット１９が露光位置から引出許容位置に移動されるので、ＬＥＤアレイ６７がドラムドロワ１１９の引き出しの邪魔になることを抑制できる。
【０２９２】
そのため、ドラムドロワ１１９の本体ケーシング２に対する円滑な引き出し動作を確保することができる。
８．第２実施形態
次に、本発明の第２実施形態について説明する。
【０２９３】
図１１および図１２は、本発明の画像形成装置の第２実施形態としてのカラープリンタを示す側断面図であって、図１１は、現像カートリッジが現像位置に配置された状態を示し、図１２は、現像カートリッジが退避位置に配置された状態を示す。
【０２９４】
図１１および図１２において、図１〜図１０に示す各部に対応する部分には、それらの各部と同一の参照符号を付し、その説明を省略する。
【０２９５】
第１実施形態では、カラープリンタ１は、図１に示すように、プロセスユニット１４の上側にベルトユニット３０が配置される中間転写型カラープリンタであるが、本発明の第２実施形態では、図１１に示すように、プロセスユニット１４の下側にベルトユニット３０が配置されるダイレクトタンデム型カラーレーザプリンタである。
【０２９６】
また、第２実施形態では、プロセスユニット１４、ベルトユニット３０および１対の側壁５１（図２参照）のそれぞれが、上記した第１実施形態とは上下方向が逆となるように設けられている。すなわち、第１実施形態におけるプロセスユニット１４、ベルトユニット３０および１対の側壁５１に関する上下方向と、第２実施形態におけるプロセスユニット１４、ベルトユニット３０および１対の側壁５１に関する上下方向とは相異なり、プロセスユニット１４、ベルトユニット３０および１対の側壁５１は、第１実施形態における上側が、第２実施形態においては下側となるように、本体ケーシング２内に収容されている。
（１）ベルトユニット
第２実施形態では、ベルトユニット３０は、図１１に示すように、無端ベルトの一例としての搬送ベルト１３１を備えている。
【０２９７】
搬送ベルト１３１は、その上側部分が複数（４つ）の感光ドラム２０のそれぞれに対向接触されるように、感光ドラム２０の下側に配置され、駆動ローラ３１および従動ローラ３２の周りに掛け渡されている。また、搬送ベルト１３１は、駆動ローラ３１の駆動および従動ローラ３２の従動により、感光ドラム２０と接触する上側部分が前側から後側に向かって移動するように、周回移動されている。
（２）現像ドロワ
現像ドロワ８０には、図１１に示すように、被押圧部１３３が設けられている。
【０２９８】
被押圧部１３３は、複数（４つ）の現像カートリッジ２３の押圧部１３２（後述）のそれぞれに対応して、４つの押圧部１３２（後述）のそれぞれの後側に、複数（４つ）設けられている。被押圧部１３３は、左右方向に延びる側面視略矩形状に形成され、その左右両端部が、現像ドロワ８０の１対の現像側壁８１のそれぞれに固定されている。なお、４つの被押圧部１３３のうち、最も後側の被押圧部１３３は、その後端部が、現像リヤビーム８３の前面と連続している。
【０２９９】
また、現像ドロワ８０の着脱溝９８は、回動溝９９の後端部から連続して、上方に向かって延びるように形成されている。また、図示しないが、カム溝１０２は、カム部材１００の上端縁から下方に向かって窪む側面視略Ｕ字状に形成されている。
（３）現像カートリッジ
なお、以下の説明において、現像カートリッジ２３の上下前後左右方向は、現像カートリッジ２３が現像位置（図１１）に位置するときを基準としている。
【０３００】
現像カートリッジ２３のトナー収容部２７の外周面には、カートリッジ把持部１３５と、押圧部１３２とが一体的に設けられている。
【０３０１】
カートリッジ把持部１３５は、前下方および後上方に延びる略平板形状に形成され、その略中央部分が、トナー収容部２７の前上側における左右方向略中央部分と連続するように設けられている。
【０３０２】
押圧部１３２は、トナー収容部２７の後端部における上下方向略中央部分から後方に向かって突出する側面視略矩形状に形成されている。
（４）現像カートリッジの現像位置と退避位置との移動
次に、現像カートリッジ２３の現像位置と退避位置との移動について説明する。
【０３０３】
現像カートリッジ２３を現像位置から退避位置へ移動させるには、図１２に示すように、フロントカバー７を開放位置に配置して、カム部材１００を第１位置から第２位置に移動させる（図６（ｂ）参照）。
【０３０４】
そうすると、現像カートリッジ２３のガイドボス１１６（図６（ｂ）参照）が、カム部材１００により、回動溝９９の前端部から後端部に向かって移動される（図６（ａ）参照）。
【０３０５】
このとき、現像カートリッジ２３の押圧部１３２が、現像ドロワ８０の被押圧部１３３に前側から当接する。
【０３０６】
そして、さらに、ガイドボス１１６が後方に移動されると、現像カートリッジ２３は、押圧部１３２を支点として、矢印で示す回転方向Ｇ（左側面視反時計方向）に沿って回転され、図１２に示すように、退避位置に配置される。
【０３０７】
以上により、現像カートリッジ２３の現像位置から退避位置への移動が完了する。なお、現像カートリッジ２３を退避位置から現像位置へ移動させるには、上記した現像カートリッジ２３の現像位置から退避位置への移動動作と逆の手順に操作する。
【０３０８】
これによっても、現像カートリッジ２３が、現像ドロワ８０に支持された状態において、現像位置と退避位置とに移動可能である。
【０３０９】
そのため、このような第２実施形態においても、上記した第１実施形態と同様の作用効果を奏することができる。
９．変形例
（１）
上記した第１実施形態および第２実施形態では、現像カートリッジ２３の現像位置と退避位置との移動が、フロントカバー７の開閉動作に連動されたが、本発明はこれに限定されず、例えば、公知の連動機構により、現像カートリッジ２３の現像位置と退避位置との移動を、現像ドロワ８０の本体ケーシング２からの引き出し動作に連動させてもよい。
【０３１０】
これによっても、上記した第１実施形態と同様の作用効果を奏することができる。
（２）
また、上記した第１実施形態および第２実施形態では、すべての現像カートリッジ２３が、フロントカバー７の開閉動作に連動して、現像位置と退避位置とに移動されたが、現像ドロワ８０の本体ケーシング２に対する引出方向最下流側に配置される現像カートリッジ２３（４つの現像カートリッジ２３のうち、最も前側に配置される現像カートリッジ２３）は、移動可能に構成されていなくてもよい。
【０３１１】
この場合、現像ドロワ８０の本体ケーシング２に対する引出方向最下流側に配置される現像カートリッジ２３は、第２現像器の一例として対応され（以下、第２現像カートリッジ２３とする。）、常に現像位置に配置されている。また、第２現像カートリッジ２３の後側（引出方向上流側）に隣り合って配置される現像カートリッジ２３は、第１現像器の一例として対応される。
【０３１２】
また、ドラムフロントビーム１２１には、図１に示すように、通過溝１４０が形成されている。通過溝１４０は、ドラムフロントビーム１２１の下側部分において、前後方向に投影したときに、第２現像カートリッジ２３と重なる部分が切り欠かれて形成されている。
【０３１３】
これによっても、複数（４つ）の現像カートリッジ２３のうち、第２現像カートリッジ２３を除く、３つの現像カートリッジ２３をそれぞれ退避位置に配置することにより、現像ドロワ８０を現像装着位置と現像引出位置とに移動させることができる。
【０３１４】
そのため、上記した第１実施形態と同様の作用効果を奏することができる。
【０３１５】
なお、上記した第１実施形態、第２実施形態および変形例は、適宜組み合わせることができる。
【符号の説明】
【０３１６】
１      カラープリンタ
２      本体ケーシング
６      開口部
７      フロントカバー
８      連結部材
２０    感光ドラム
２３    現像カートリッジ
２４    現像ローラ
３３    中間転写ベルト
５４    ドラム案内部
６７    ＬＥＤアレイ
８０    現像ドロワ
１００  カム部材
１１５  回動軸
１１９  ドラムドロワ
１３１  搬送ベルト
【図１】
0005938947.tif 000002
【図２】
0005938947.tif 000003
【図３】
0005938947.tif 000004
【図４】
0005938947.tif 000005
【図５】
0005938947.tif 000006
【図６】
0005938947.tif 000007
【図７】
0005938947.tif 000008
【図８】
0005938947.tif 000009
【図９】
0005938947.tif 000010
【図１０】
0005938947.tif 000011
【図１１】
0005938947.tif 000012
【図１２】
0005938947.tif 000013